(57)【要約】無線アクセスネットワークの分散ユニット（ＤＵ）ノードの動作方法は、ＤＵノードによってサポートされる無線リソース制御（ＲＲＣ）バージョンのインジケーションを含む第１のメッセージを中央ユニット（ＣＵ）に送信すること（８００１）と、ＣＵノードによってサポートされるＲＲＣバージョンのインジケーションを含む第２のメッセージをＣＵノードから受信すること（８００３）と、さらに、使用されるＲＲＣバージョンを含む無線デバイス（ＵＥ）に対するコンテキストセットアップ要求メッセージをＣＵノードから受信することを含み、ＣＵノードの動作方法は、ＤＵノードによってサポートされるＲＲＣバージョンを含むメッセージをＤＵから受信することと、ＣＵのよってサポートされるＲＲＣバージョンのインジケーションを含む第２のメッセージをＤＵノードに送信することを含み、発明はさらに、使用されるＲＲＣバージョンのＵＥに対するコンテキストセットアップ要求メッセージをＤＵノードに送信することを含むＣＵの動作方法を参照し、コンテキストセットアップ要求メッセージは、使用されるＲＲＣバージョンのインジケーションを含み、発明はさらに、対応するＤＵノードとＣＵノードを参照する。【選択図】図９
2021520689.tif 000002
【特許請求の範囲】
【請求項１】
無線アクセスネットワークの分散ユニット（ＤＵ）ノード（６０００）の動作方法であって、前記方法は、
中央ユニット（ＣＵ）ノードに第１のメッセージを送信すること（８００１）と、ここで、前記第１のメッセージは、前記ＤＵノードによってサポートされる無線リソース制御（ＲＲＣ）バージョンのインジケーションを含み、
前記ＣＵノードから第２のメッセージを受信すること（８００３）と、ここで、前記第２のメッセージは、前記ＣＵノードによってサポートされるＲＲＣバージョンのインジケーションを含む、を含む、方法。
【請求項２】
請求項１に記載の方法であって、前記ＤＵノードによってサポートされる前記ＲＲＣバージョンの前記インジケーションは、前記ＤＵノードによってサポートされるＲＲＣバージョンのリストを含み、および/または、前記ＤＵノードによってサポートされる前記ＲＲＣバージョンの前記インジケーションは、前記ＤＵノードによってサポートされる最新のＲＲＣバージョンを含む、方法。
【請求項３】
請求項１または２に記載の方法であって、前記ＣＵノードによってサポートされる前記ＲＲＣバージョンの前記インジケーションは、前記ＣＵノードによってサポートされるＲＲＣバージョンのリストを含み、および/または、前記ＣＵノードによってサポートされる前記ＲＲＣバージョンの前記インジケーションは、前記ＣＵノードによってサポートされる最新のＲＲＣバージョンを含む、方法。
【請求項４】
請求項１から３のいずれか１項に記載の方法であって、前記ＤＵノードによってサポートされる前記ＲＲＣバージョンの前記インジケーションは、前記ＤＵノードによってサポートされるＲＲＣバージョンの少なくとも１つのリリース番号を含み、前記ＣＵノードによってサポートされる前記ＲＲＣバージョンの前記インジケーションは、前記ＣＵノードによってサポートされるＲＲＣバージョンの少なくとも１つのリリース番号を含む、方法。
【請求項５】
請求項１から４のいずれか１項に記載の方法であって、前記第１のメッセージはセットアップ要求メッセージであり、前記第２のメッセージはセットアップ応答メッセージである、方法。
【請求項６】
請求項１から５のいずれか１項に記載の方法であって、前記ＤＵノードおよび前記ＣＵノードは、Ｆ１インターフェースを介して結合され、前記第１および第２のメッセージは、Ｆ１セットアップ手順の第１および第２のセットアップメッセージであり、前記第１のセットアップメッセージは、前記Ｆ１インターフェースを介して前記ＣＵノードに送信され、前記第２のセットアップメッセージは、前記ＣＵノードから前記Ｆ１インターフェースを介して受信される、方法。
【請求項７】
請求項１から５のいずれか１項に記載の方法であって、ＤＵノードおよび前記ＣＵノードは、Ｆ１インターフェースを介して、および、オペレーションおよびメンテナンス（Ｏ&Ｍ）インターフェースを介して結合され、前記第１のメッセージは、前記Ｏ&Ｍインターフェースを介して前記ＣＵノードに送信され、前記第２のメッセージは、前記Ｏ&Ｍインターフェースを介して前記ＣＵノードから受信される、方法。
【請求項８】
無線アクセスネットワークの中央ユニット（ＣＵ）ノード（７０００）の動作方法であって、前記方法は、
分散ユニット（ＤＵ）ノードから第１のメッセージを受信すること（８０１１）と、ここで、前記第１のメッセージは、前記ＤＵノードによってサポートされる無線リソース制御（ＲＲＣ）バージョンのインジケーションを含み、
前記ＤＵノードに第２のメッセージを送信すること（８０１３）と、ここで、前記第２のメッセージは、前記ＣＵノードによってサポートされるＲＲＣバージョンのインジケーションを含む、を含む、方法。
【請求項９】
請求項８に記載の方法であって、前記ＤＵノードによってサポートされる前記ＲＲＣバージョンの前記インジケーションは、前記ＤＵノードによってサポートされるＲＲＣバージョンのリストを含み、および/または、前記ＤＵノードによってサポートされる前記ＲＲＣバージョンの前記インジケーションは、前記ＤＵノードによってサポートされる最新のＲＲＣバージョンを含む、方法。
【請求項１０】
請求項８または９に記載の方法であって、前記ＣＵノードによってサポートされる前記ＲＲＣバージョンの前記インジケーションは、前記ＣＵノードによってサポートされるＲＲＣバージョンのリストを含み、および/または、前記ＣＵノードによってサポートされる前記ＲＲＣバージョンの前記インジケーションは、前記ＣＵノードによってサポートされる最新のＲＲＣバージョンを含む、方法。
【請求項１１】
請求項８から１０のいずれか１項に記載の方法であって、前記ＤＵノードによってサポートされる前記ＲＲＣバージョンの前記インジケーションは、前記ＤＵノードによってサポートされるＲＲＣバージョンの少なくとも１つのリリース番号を含み、前記ＣＵノードによってサポートされる前記ＲＲＣバージョンの前記インジケーションは、前記ＣＵノードによってサポートされるＲＲＣバージョンの少なくとも１つのリリース番号を含む、方法。
【請求項１２】
請求項８から１１のいずれか１項に記載の方法であって、前記第１のメッセージはセットアップ要求メッセージであり、前記第２のメッセージはセットアップ応答メッセージである、方法。
【請求項１３】
請求項８から１２のいずれか１項に記載の方法であって、前記ＤＵノードおよび前記ＣＵノードは、Ｆ１インターフェースを介して結合され、前記第１および第２のメッセージは、Ｆ１セットアップ手順の第１および第２のセットアップメッセージであり、前記第１のセットアップメッセージは、前記ＤＵノードから前記Ｆ１インターフェースを介して受信され、前記第２のセットアップメッセージは、前記Ｆ１インターフェースを介して前記ＤＵノードに送信される、方法。
【請求項１４】
請求項８から１２のいずれか１項に記載の方法であって、ＤＵノードおよび前記ＣＵノードは、Ｆ１インターフェースを介して、および、オペレーションおよびメンテナンス（Ｏ&Ｍ）インターフェースを介して結合され、前記第１のメッセージは、前記Ｏ&Ｍインターフェースを介して前記ＤＵノードから受信され、前記第２のメッセージは、前記Ｏ&Ｍインターフェースを介して前記ＤＵノードに送信される、方法。
【請求項１５】
無線アクセスネットワークの中央ユニット（ＣＵ）ノード（７０００）の動作方法であって、前記方法は、
無線デバイス（ＵＥ）に対するコンテキストセットアップ要求メッセージを、前記無線アクセスネットワークの分散ユニット（ＤＵ）ノード（６０００）に送信すること（８０２１）を含み、前記コンテキストセットアップ要求メッセージは、前記無線デバイス（ＵＥ）と前記ＤＵノード間の無線リソース制御（ＲＲＣ）接続に使用されるＲＲＣバージョンのインジケーションを含む、方法。
【請求項１６】
請求項１５に記載の方法であって、
前記コンテキストセットアップ要求を送信した後に、前記ＤＵノードから前記無線デバイス（ＵＥ）に対するコンテキストセットアップ応答メッセージを受信すること（８０２３）と、
前記無線デバイス（ＵＥ）に対する前記コンテキストセットアップ応答メッセージを受信することに応答してダウンリンク転送メッセージを前記ＤＵノードに送信すること（８０２７）をさらに含み、前記ダウンリンク転送メッセージは、前記無線デバイス（ＵＥ）に対するＲＲＣ再構成メッセージを含む、方法。
【請求項１７】
請求項１６に記載の方法であって、
前記ダウンリンク転送メッセージを送信した後に、前記ＤＵノードからアップリンク転送メッセージを受信すること（８０２９）をさらに含み、前記アップリンク転送メッセージは、ＲＲＣ再構成完了メッセージを含む、方法。 
【請求項１８】
請求項１６または１７に記載の方法であって、
前記ＲＲＣ接続に使用される前記ＲＲＣバージョンに基づいて、および、前記コンテキストセットアップ応答メッセージに基づいて、前記ＲＲＣ再構成メッセージを生成（８０２５）することをさらに含む、方法。 
【請求項１９】
請求項１６から１８のいずれか１項に記載の方法であって、前記コンテキストセットアップ応答メッセージは、前記無線デバイス（ＵＥ）と前記ＤＵノードとの間の前記ＲＲＣ接続に対する測定ギャップオフセット情報および/またはセルグループ構成情報を含む、方法。
【請求項２０】
請求項１９に記載の方法であって、前記コンテキストセットアップ応答メッセージは、物理層および/または媒体アクセス制御層の情報のうちの少なくとも１つを含むセルグループ構成情報を含む、方法。
【請求項２１】
請求項１５から２０のいずれか１項に記載の方法であって、
前記コンテキストセットアップ要求メッセージを送信する前に、前記分散ユニット（ＤＵ）ノードからセットアップ手順のセットアップメッセージを受信すること（８０１１）をさらに含み、前記第１のセットアップメッセージは、前記ＤＵノードによってサポートされる無線リソース制御（ＲＲＣ）バージョンのインジケーションを含み、
前記無線デバイス（ＵＥ）と前記ＤＵノードとの間の前記ＲＲＣ接続に使用される前記ＲＲＣバージョンの前記インジケーションは、前記ＤＵノードによってサポートされる前記ＲＲＣバージョンの前記インジケーションに基づいて前記ＣＵノードによって選択される、方法。
【請求項２２】
請求項１５から２１のいずれかに記載の方法であって、前記無線デバイス（ＵＥ）と前記ＤＵノードとの間の前記ＲＲＣ接続に使用される前記ＲＲＣバージョンの前記インジケーションは、前記無線デバイス（ＵＥ）のＲＲＣ能力および/または前記ＣＵノードのＲＲＣ能力のうちの少なくとも１つに基づいて、前記ＣＵノードによって選択される、方法。
【請求項２３】
請求項１５に記載の方法であって、前記コンテキストセットアップ要求メッセージは、第１のコンテキストセットアップ要求メッセージであり、前記インジケーションは、第１のＲＲＣバージョンのインジケーションであり、前記方法は、
前記第１のコンテキストセットアップ要求メッセージを送信した後、前記ＤＵノードからコンテキストセットアップ失敗メッセージを受信すること（８０２２ａ）と、
前記ＤＵノードから前記コンテキストセットアップ失敗メッセージを受信することに応答して、前記無線デバイス（ＵＥ）に対する第２のコンテキストセットアップ要求メッセージを前記ＤＵノードに送信すること（８０２２ｂ）をさらに含み、前記第２のコンテキストセットアップ要求メッセージは、前記無線デバイス（ＵＥ）と前記ＤＵノード間の前記ＲＲＣ接続に使用される第２のＲＲＣバージョンのインジケーションを含み、前記第１と第２のＲＲＣバージョンは異なる、方法。
【請求項２４】
請求項２３に記載の方法であって、
前記第２のコンテキストセットアップ要求を送信した後、前記ＤＵノードから前記無線デバイス（ＵＥ）に対するコンテキストセットアップ応答メッセージを受信すること（８０２３）と、
前記ＲＲＣ接続に使用される前記第２のＲＲＣバージョンに基づいて、および前記コンテキストセットアップ応答メッセージに基づいて、前記ＲＲＣ再構成メッセージを生成すること（８０２５）と、
前記無線デバイス（ＵＥ）に対する前記コンテキストセットアップ応答メッセージを受信することに応答して前記ＤＵノードにダウンリンク転送メッセージを送信すること（８０２７）と、ここで、前記ダウンリンク転送メッセージは前記無線デバイス（ＵＥ）に対するＲＲＣ再構成メッセージを含み、
前記ダウンリンク転送メッセージを送信した後に前記ＤＵノードからアップリンク転送メッセージを受信すること（８０２９）をさらに含み、前記アップリンク転送メッセージは、ＲＲＣ再構成完了メッセージを含む、方法。
【請求項２５】
無線アクセスネットワークの分散ユニット（ＤＵ）ノード（６０００）の動作方法であって、前記方法は、
前記無線アクセスネットワークの中央ユニット（ＣＵ）ノード（７０００）から無線デバイス（ＵＥ）に対するコンテキストセットアップ要求メッセージを受信すること（８０４１）、ここで、前記コンテキストセットアップ要求メッセージは、前記無線デバイス（ＵＥ）と前記ＤＵノードとの間の無線リソース制御（ＲＲＣ）接続に使用されるＲＲＣバージョンのインジケーションを含む、を含む、方法。 
【請求項２６】
請求項２５に記載の方法であって、
無線デバイス（ＵＥ）と前記ＤＵノード間の前記ＲＲＣ接続に使用される前記ＲＲＣバージョンの前記インジケーションを含む前記コンテキストセットアップ要求メッセージに基づいて、前記無線デバイス（ＵＥ）に対する構成を決定すること（８０４３）、
前記無線デバイス（ＵＥ）に対するコンテキストセットアップ応答メッセージを前記ＣＵノードに送信すること（８０４５）、ここで、前記コンテキストセットアップ応答メッセージは、前記無線デバイスに対する前記構成に関する情報を含む、を含む、方法。
【請求項２７】
請求項２６に記載の方法であって、
前記ＣＵノードから転送メッセージを受信すること（８０４７）、ここで、前記転送メッセージは、前記無線デバイスに対するＲＲＣ再構成メッセージを含み、
前記ＤＵノードから前記無線デバイス（ＵＥ）に前記ＲＲＣ再構成メッセージを送信すること（８０４９）、をさらに含む、方法。
【請求項２８】
請求項２７に記載の方法であって、
前記ＲＲＣ再構成メッセージを送信した後、前記無線デバイス（ＵＥ）からＲＲＣ再構成完了メッセージを受信すること（８０５１）、
アップリンク転送メッセージを前記ＣＵノードに送信すること（８０５３）、ここで、前記アップリンク転送メッセージはＲＲＣ再構成完了メッセージを含む、をさらに含む、方法。
【請求項２９】
請求項２６から２８のいずれか１項に記載の方法であって、前記コンテキストセットアップ応答メッセージは、前記無線デバイス（ＵＥ）と前記ＤＵノードとの間の前記ＲＲＣ接続に対する測定ギャップオフセット情報および/またはセルグループ構成情報を含む、方法。
【請求項３０】
請求項２９に記載の方法であって、前記コンテキストセットアップ応答メッセージは、物理層および/または媒体アクセス制御層情報のうちの少なくとも１つを含むセルグループ構成情報を含む、方法。
【請求項３１】
請求項２５に記載の方法であって、前記コンテキストセットアップ要求メッセージは、第１のコンテキストセットアップ要求メッセージであり、前記インジケーションは、第１のＲＲＣバージョンのインジケーションであり、前記方法は、
前記第１のＲＲＣバージョンがサポートされていないと判断すること応答して、コンテキストセットアップ失敗メッセージを前記ＣＵノードに送信すること（８０４２ｂ）、
前記コンテキスト失敗メッセージを送信した後、前記ＣＵノードから前記無線デバイス（ＵＥ）に対する第２のコンテキストセットアップ要求メッセージを受信すること（８０４２ｃ）、ここで、前記第２のコンテキストセットアップ要求メッセージは、前記無線デバイス（ＵＥ）と前記ＤＵノード間の前記ＲＲＣ接続に使用される第２のＲＲＣバージョンのインジケーションを含み、前記第１および第２のＲＲＣバージョンは異なる、をさらに含む、方法。
【請求項３２】
請求項３１に記載の方法であって、
前記第２のＲＲＣバージョンがサポートされていると判断することに応答して、前記無線デバイス（ＵＥ）と前記ＤＵノード間の前記ＲＲＣ接続に使用される前記第２のＲＲＣバージョンの前記インジケーションを含む前記第２のコンテキストセットアップ要求メッセージに基づいて、前記無線デバイス（ＵＥ）に対する構成を決定すること（８０４３）、
前記無線デバイス（ＵＥ）に対するコンテキストセットアップ応答メッセージを前記ＣＵノードに送信すること （８０４５）、ここで、前記コンテキストセットアップ応答メッセージは、前記無線デバイスに対する構成に関する情報を含み、
前記ＣＵノードからの転送メッセージを受信（８０４７）すること、ここで、前記転送メッセージは、前記無線デバイスに対するＲＲＣ再構成メッセージを含み、
前記ＤＵノードから前記無線デバイス（ＵＥ）へ前記ＲＲＣ再構成メッセージを送信すること（８０４９）、
前記ＲＲＣ再構成メッセージを送信した後に前記無線デバイス（ＵＥ）からＲＲＣ再構成完了メッセージを受信すること（８０５１）、
アップリンク転送メッセージを前記ＣＵノードに送信すること（８０５３）、ここで、前記アップリンク転送メッセージは、前記ＲＲＣ再構成完了メッセージを含む、さらにを含む、方法。
【請求項３３】
無線アクセスネットワークの分散ユニット（ＤＵ）ノード（６０００）であって、前記第１のＤＵノードは、
ネットワーク上で通信を提供するように構成されたネットワークインターフェース（６００５）と、
無線インターフェースを介して無線通信を提供するように構成されたトランシーバ（６００１）と、
前記ネットワークインターフェースおよび前記トランシーバと結合されたプロセッサ（６００３）とを備え、前記プロセッサは、中央ユニット（ＣＵ）ノードとの通信を前記ネットワークインターフェースを通じて提供するように構成され、前記プロセッサは、前記トランシーバを通じて複数の無線通信デバイスとの通信を提供するように構成され、前記プロセッサは、請求項１から７および/または２５から３２のいずれかに記載の動作を実行するように構成される、ＤＵノード。
【請求項３４】
分散ユニット（ＤＵ）ノード（６０００）であって、前記第１のＤＵノードは、請求項１から７および２５から３２のいずれかの工程を実行するように適合される、ＤＵノード。
【請求項３５】
無線アクセスネットワークの中央ユニット（ＣＵ）ノードであって、前記ＣＵノードは、
ネットワーク上で通信を提供するように構成されたネットワークインターフェース（７００１）と、
前記ネットワークインターフェースと結合されたプロセッサ（７００３）とを備え、前記プロセッサは、前記ネットワークインターフェースを介して、少なくとも１つの分散ユニット（ＤＵ）ノードとの通信を提供するように構成され、前記プロセッサは、請求項８から２４のいずれかに記載の動作を実行するように構成される、ＣＵノード。
【請求項３６】
中央ユニット（ＣＵ）ノード（７０００）であって、前記ＣＵノードは、請求項８から２４のいずれかの工程を実行するように適合される、ＣＵノード。
【発明の詳細な説明】
【技術分野】
【０００１】
本開示は無線通信ならびに関連する無線デバイスおよびネットワークノードに関し、より具体的には、別個の中央ユニットおよび分散ユニットを有する機能的に分割された基地局に関する。
【背景技術】
【０００２】
現在の５Ｇ無線アクセスネットワーク（ＮＧ−ＲＡＮ）アーキテクチャは図１の全体的なアーキテクチャに示されるように、ＴＳ ３８．４０１に示され、説明される。
【０００３】
次世代（ＮＧ）アーキテクチャは、以下のようにさらに説明することができる。ＮＧ−ＲＡＮは、ＮＧを介して５Ｇコアネットワーク（５ＧＣ）に接続された１組の５Ｇ/ＮＧ基地局（ｇＮＢ）を含む。ｇＮＢは、周波数分割複信（ＦＤＤ）モード、時分割複信（ＴＤＤ）モード、またはデュアルモード動作をサポートすることができる。ｇＮＢは、論理インターフェースＸｎを介して相互接続できる。ｇＮＢはｇＮＢ−ＣＵおよびｇＮＢ−ＤＵを含むことができる（ここで、ＣＵは中央ユニット（central unit）の頭字語であり、ＤＵは分散ユニット（distributed unit）の頭字語である）。ｇＮＢ-ＣＵとｇＮＢ-ＤＵは、Ｆ１論理インターフェースを介して接続される。１つのｇＮＢ-ＤＵは、１つのｇＮＢ-ＣＵにのみ接続できる。
【０００４】
ＮＧ、Ｘｎ、およびＦ１は論理インターフェースである。ＮＧ-ＲＡＮの場合、ｇＮＢのＮＧおよびＸｎ-ＣインターフェースにはｇＮＢ-ＣＵおよびｇＮＢ-ＤＵを含めることができ、ＮＧおよびＸｎ-ＣインターフェースはｇＮＢ-ＣＵで終端することができる。ｇＮＢ-ＣＵおよびｇＮＢ-ＤＵを含むｇＮＢ用のＥＮ-ＤＣ、Ｓ１-Ｕ、およびＸ２-Ｃインターフェースは、ｇＮＢ-ＣＵで終端することができる。ｇＮＢ−ＣＵおよび接続されたｇＮＢ−ＤＵは、ｇＮＢとして他のｇＮＢおよび５ＧＣにのみ可視であり得る。ＮＧ-ＲＡＮは、無線ネットワークレイヤ（ＲＮＬ）とトランスポートネットワークレイヤ（ＴＮＬ）に階層化されている。ＮＧ-ＲＡＮ論理ノードとその間のインターフェースを含むＮＧ-ＲＡＮアーキテクチャは、ＲＮＬの一部として定義できる。ＮＧ-ＲＡＮインターフェース（ＮＧ、Ｘｎ、Ｆ１）ごとに、関連するＴＮＬプロトコルと機能を指定できる。ＴＮＬは、ユーザ・プレーン・トランスポートおよびシグナリング・トランスポートのためのサービスを提供することができる。ＮＧ-Ｆｌｅｘ構成では、各ｇＮＢをＡＭＦ領域内のすべてのＡＭＦに接続できる。ＡＭＦ領域は、３ＧＰＰ ＴＳ ２３．５０１において定義することができる。
【０００５】
Ｆ１インターフェースはオープンにでき、エンドポイント間のシグナリング情報の交換をサポートできる。Ｆ１インターフェースは、それぞれのエンドポイントへのデータ送信をサポートできる。Ｆ１インターフェースは、エンドポイント間のポイント・ツー・ポイントインターフェースとなりうる。一部の例では、エンドポイント間に物理的な直接接続がない場合に、ポイント・ツー・ポイント論理インターフェースを実現できる。Ｆ１インターフェースは、制御プレーンとユーザプレーンとの分離をサポートすることができる。Ｆ１インターフェースは、ＲＮＬとＴＮＬを分離できる。Ｆ１インターフェースは、ＵＥ関連情報と非ＵＥ関連情報の交換を可能にすることができる。Ｆ１インターフェースは様々な新しい要件を満たし、新しいサービスをサポートし、新しい機能を提供するために、将来のプルーフであるように定義することができる。１つのｇＮＢ-ＣＵと、ｇＮＢ-ＤＵのセットは、ｇＮＢとして他の論理ノードに可視であり得る。ｇＮＢは、Ｘ２、Ｘｎ、ＮＧ、およびＳ１-Ｕインターフェースを終端できる。ＣＵは、制御プレーン（ＣＰ）およびユーザプレーン（ＵＰ）において分離され得る。
【０００６】
別個の中央ユニットおよび分散ユニットを使用して実施される基地局では、中央ユニットと分散ユニットとの間の追加の調整が有用であり得る。
【発明の概要】
【０００７】
本発明の目的は、機能的に分割された基地局の動作を改善することである。
【０００８】
この目的は、独立請求項によって達成される。有利な実施形態は、従属請求項および以下の説明に記載されている。
【０００９】
いくつかの実施形態によれば、無線アクセスネットワークの分散ユニット（ＤＵ）ノードの動作方法（動作させる方法）が提供される。この方法は、ＤＵノードによってサポートされる無線リソース制御（ＲＲＣ）バージョンのインジケーション（指示／指標／表示）を含む第１のメッセージを中央ユニット（ＣＵ）ノードに送信することを含む。本方法はさらに、ＣＵノードによってサポートされるＲＲＣバージョンのインジケーションを含む第２のメッセージをＣＵノードから受信することを含む。
【００１０】
他の実施形態によれば、無線アクセスネットワークの中央ユニット（ＣＵ）ノードの動作方法が提供される。この方法は、分散ユニット（ＤＵ）ノードから第１のメッセージを受信することを含み、ＤＵノードによってサポートされる無線リソース制御（ＲＲＣ）バージョンのインジケーションを含む第１のメッセージを含む。さらに、第２のメッセージがＤＵノードに送信され、第２のメッセージにはＣＵノードによってサポートされるＲＲＣバージョンのインジケーションが含まれる。
【００１１】
他の実施形態によれば、無線アクセスネットワークのＣＵの動作方法が提供される。この方法は、無線アクセスネットワークのＵＥとＤＵノードとの間のＲＲＣ接続（コネクション）に使用されるＲＲＣバージョンのＤＵノードに、無線デバイス（ＵＥ）のコンテキストセットアップ要求メッセージを送信することを含む。コンテキストセットアップ要求メッセージには、無線デバイス（ＵＥ）とＤＵノードとの間の無線リソース制御（ＲＲＣ（Radio Resource Control））接続に使用されるＲＲＣバージョンのインジケーションが含まれる。
【００１２】
他の実施形態によれば、無線アクセスネットワークの分散ユニット（ＤＵ）ノードの動作方法が提供される。この方法は、無線アクセスネットワークの中央ユニット（ＣＵ）ノードから無線デバイス（ＵＥ）のコンテキストセットアップ要求メッセージを受信することを含む。コンテキストセットアップ要求メッセージには、無線デバイス（ＵＥ）とＤＵノードとの間の無線リソース制御（ＲＲＣ）接続に使用されるＲＲＣバージョンのインジケーションが含まれる。
【００１３】
他の実施形態によれば、分散ユニット（ＤＵ）ノードは、ネットワーク上で通信を提供するように構成されたネットワークインターフェースと、無線インターフェースを介して無線通信を提供するように構成されたトランシーバと、ネットワークインターフェースおよびトランシーバと連結されたプロセッサとを備え、プロセッサは、ネットワークインターフェースを介して中央ユニット（ＣＵ）との通信を提供するように構成される。ＤＵのプロセッサは、トランシーバを介して複数の無線通信デバイスとの通信を提供するように構成される。
【００１４】
いくつかの実施形態では、ＤＵのプロセッサは、ＤＵノードによってサポートされるＲＲＣバージョンのインジケーションを含む第１のメッセージをＣＵノードに送信すること、およびＣＵノードによってサポートされるＲＲＣバージョンのインジケーションを含む第２のメッセージをＣＵノードから受信することを、実行または制御するようにさらに構成される。さらに、または代替的に、ＤＵのプロセッサは、無線アクセスネットワークのＣＵノードからＵＥに対するコンテキストセットアップ要求メッセージを受信することを実行または制御するように構成され、コンテキストセットアップ要求メッセージは、ＵＥとＤＵノードとの間のＲＲＣ（無線リソース制御）接続に使用されるＲＲＣバージョンのインジケーションを含む。
【００１５】
他の実施形態によれば、中央ユニット（ＣＵ）ノードは、ネットワーク上で通信を提供するように構成されたネットワークインターフェースと、ネットワークインターフェースと連結されたプロセッサとを備え、プロセッサは、ネットワークインターフェースを介して、少なくとも１つの分散ユニットＤＵとの通信を提供するように構成される。
【００１６】
いくつかの実施形態では、ＣＵのプロセッサは、ＤＵノードからの第１のメッセージであって、第１のメッセージはＤＵノードによってサポートされるＲＲＣバージョンのインジケーションを含むことと、第２のメッセージをＤＵノードに送信することであって、第２のメッセージはＣＵノードによってサポートされるＲＲＣバージョンのインジケーションを含むことを、実行または制御するようにさらに構成される。さらに、または代替的に、ＣＵのプロセッサは、ＵＥと無線アクセスネットワークのＤＵノードとの間のＲＲＣ接続に使用されるＲＲＣバージョンのＤＵノードにＵＥに対するコンテキストセットアップ要求メッセージを送信することを実行または制御するように構成される。コンテキストセットアップ要求メッセージは、ＵＥとＤＵノードとの間のＲＲＣ（無線リソース制御）接続のために使用されるＲＲＣバージョンのインジケーションを含む。
【００１７】
上述の実施形態の利点として、特に中央ユニット（ｇＮＢコア）および分散ノード（複数可）が異なるＲＲＣバージョンをサポートする場合、ＲＲＣ誤構成のリスクを低減することができる。
【図面の簡単な説明】
【００１８】
本開示のさらなる理解を提供するために含まれ、本出願の一部を構成するように組み込まれる添付の図面は、本発明の概念の特定の非限定的な実施形態を示す。図面において:
【図１】図１は、５Ｇ無線アクセスネットワークの一例を示すブロック図である。
【図２】図２は本開示のいくつかの実施形態による、ＲＲＣ構成を生成し、ＵＥに送信する例を示す信号フロー図である。
【図３Ａ】図３Ａは、本開示のいくつかの実施形態による、ｇＮＢ−ＤＵからｇＮＢ−ＣＵへのＦ１セットアップ要求メッセージの例を示す表を提供する。
【図３Ｂ】図３Ｂは、本開示のいくつかの実施形態による、ｇＮＢ−ＤＵからｇＮＢ−ＣＵへのＦ１セットアップ要求メッセージの例を示す表を提供する。
【図４】図４は、本開示のいくつかの実施形態による、ｇＮＢ−ＣＵからｇＮＢ−ＤＵへのＦ１セットアップ応答メッセージの例を示す表である。
【図５Ａ】図５Ａは、本開示のいくつかの実施形態による、ＲＲＣバージョン情報を伴うＵＥコンテキスト設定要求メッセージの例を示す表を提供する。
【図５Ｂ】図５Ｂは、本開示のいくつかの実施形態による、ＲＲＣバージョン情報を伴うＵＥコンテキスト設定要求メッセージの例を示す表を提供する。
【図５Ｃ】図５Ｃは、本開示のいくつかの実施形態による、ＲＲＣバージョン情報を伴うＵＥコンテキスト設定要求メッセージの例を示す表を提供する。
【図６】図６は、本開示のいくつかの実施形態による無線デバイス（ＵＥ）の例を示すブロック図である。
【図７】図７は、本開示のいくつかの実施形態による分散ユニット（ＤＵ）ノードの一例を示すブロック図である。
【図８】図８は、本開示のいくつかの実施形態による中央ユニット（ＣＵ）ノードの一例を示すブロック図である。
【図９】図９は、本開示のいくつかの実施形態によるＤＵの動作の例を示すフローチャートである。
【図１０】図１０は、本開示のいくつかの実施形態によるＣＵの動作の例を示すフローチャートである。
【図１１】図１１は、本開示のいくつかの実施形態によるＣＵの動作の別の例を示すフローチャートである。
【図１２】図１２は、本開示のいくつかの実施形態による、ＤＵの動作の別の例を示すフローチャートである。
【図１３】図１３は、本開示のいくつかの実施形態によるＣＵの動作の別の例を示すフローチャートである。
【図１４】図１４は、本開示のいくつかの実施形態による、ＤＵの動作の別の例を示すフローチャートである。
【図１５】図１５は、本開示のいくつかの実施形態によるＵＥ−ＥＵＴＲＡ−能力を示す表である。
【図１６】図１６は、中間ネットワークを介してホストコンピュータに接続された電気通信ネットワークを概略的に示す。
【図１７】図１７は、基地局を介して、部分的に無線接続を介してユーザ装置と通信するホストコンピュータの一般化されたブロック図である。
【図１８】図１８は、ホストコンピュータと、基地局と、ユーザ装置とを含む通信システムにおいて実施される方法を示すフローチャートである。
【図１９】図１９は、ホストコンピュータと、基地局と、ユーザ装置とを含む通信システムにおいて実施される方法を示すフローチャートである。
【図２０】図２０は、ホストコンピュータと、基地局と、ユーザ装置とを含む通信システムにおいて実施される方法を示すフローチャートである。
【図２１】図２１は、ホストコンピュータと、基地局と、ユーザ装置とを含む通信システムにおいて実施される方法を示すフローチャートである。
【発明を実施するための形態】
【００１９】
発明の概念の実施形態の例が示されている添付の図面を参照して、本発明の概念を以下により完全に説明する。しかしながら、本発明の概念は多くの異なる形態で具体化されてもよく、本明細書に記載の実施形態に限定されると解釈されるべきではない。むしろ、これらの実施形態は、この開示が徹底的かつ完全であり、そして本発明の概念の範囲を当業者に十分に伝えるように提供される。これらの実施形態は相互に排他的ではないことにも留意されたい。一実施形態からの構成要素は、他の実施形態に存在する／使用されると暗黙的に想定され得る。
【００２０】
以下の説明は、開示された主題の様々な実施形態を提示する。これらの実施形態は、教示例として提示され、開示された主題の範囲を限定するものとして解釈されるべきではない。例えば、記載された実施形態の特定の詳細は、記載された主題の範囲から逸脱することなく、修正され、省略され、または拡張されてもよい。
【００２１】
図６は、本発明の概念の実施形態による無線通信を提供するように構成された無線デバイスＵＥ(無線端末、無線通信装置、無線通信端末、ユーザ装置、ＵＥ、ユーザ装置ノード/端末/デバイスなどとも呼ばれる）の要素を示すブロック図である。図示のように、無線デバイスＵＥは、アンテナ４００７と、無線通信ネットワーク（無線アクセスネットワークＲＡＮとも呼ばれる）の基地局ｅＮＢとのアップリンクおよびダウンリンク無線通信を提供するように構成された送信機および受信機を含むトランシーバ（送受信機）回路４００１（トランシーバとも呼ばれる）とを含むことができる。無線デバイスＵＥはまた、トランシーバ回路に結合されたプロセッサ回路４００３（プロセッサとも呼ばれる）と、プロセッサ回路に結合されたメモリ回路４００５（メモリとも呼ばれる）とを含み得る。メモリ回路４００５は、プロセッサ回路４００３によって実行されると、本明細書で開示される実施形態による動作をプロセッサ回路に実行させるコンピュータ可読プログラムコードを含むことができる。他の実施形態によれば、プロセッサ回路４００３は別個のメモリ回路が必要とされないように、メモリを含むように定義されてもよい。無線デバイスＵＥはまた、プロセッサ４００３に結合されたインターフェース（ユーザインターフェースなど）を含むことができ、かつ/または無線デバイスＵＥは、ＩｏＴおよび/またはＭＴＣデバイスとすることができる。
【００２２】
本明細書で説明するように、無線デバイスＵＥの動作は、プロセッサ４００３および/またはトランシーバ４００１によって実行され得る。例えば、プロセッサ４００３は無線インターフェースを介して無線通信ネットワークの基地局（例えば、ｇＮＢ−−ＣＵおよび１つ以上のｇＮＢ−ＤＵを含むｇＮＢ基地局）にトランシーバ４００１を介してアップリンク通信を送信するように、および/または無線インターフェースを介して無線通信ネットワークの基地局（例えば、ｇＮＢ−ＣＵおよび１つ以上のｇＮＢ−ＤＵを含むｇＮＢ基地局）からトランシーバ４００１を介してダウンリンク通信を受信するように、トランシーバ４００１を制御してもよい。さらに、モジュールはメモリ４００５に記憶されてもよく、これらのモジュールはモジュールの命令がプロセッサ４００３によって実行されるときに、プロセッサ４００３がそれぞれの動作（例えば、例示的な実施形態に関連して以下に説明する動作）を実行するように命令を提供してもよい。
【００２３】
図７は、本明細書で開示されるいくつかの実施形態による、ｇＮＢ分散ユニットＤＵノード６０００（例えば、ＤＵノード、ｇＮＢ−ＤＵなど）を示すブロック図である。図示のように、ＤＵノード６０００は、トランシーバ６００１、ネットワークインターフェース６００５、およびメモリ６００７に結合されたプロセッサ６００３を含むことができる。トランシーバ６００１は、セルラ無線アクセスネットワーク（ＲＡＮ）インターフェース（ＲＡＮトランシーバとも呼ばれる）および/または別の無線ネットワーク通信インターフェースのうちの１つまたは複数を含むことができる。したがって、ＤＵノード６０００は、１つ以上の移動通信デバイスとの１つ以上の無線リンクを介して無線通信を提供することができる。ネットワークインターフェース６００５は例えば、Ｆ１インターフェースを介して、ｇＮＢ中央ユニットＣＵノード（例えば、ＣＵノード、ｇＮＢ-ＣＵ等）のような他のネットワークノード/デバイスとの通信を提供することができる。プロセッサ６００３（プロセッサ回路または処理回路とも呼ばれる）は汎用および/または専用プロセッサ（たとえば、マイクロプロセッサおよび/またはデジタルシグナルプロセッサ）などの１つまたは複数のデータ処理回路を含むことができる。プロセッサ６００３はメモリ６００７内の機能モジュール（メモリ回路（memory circuit/memory circuitry）とも呼ばれる）からのコンピュータプログラム命令を実行するように構成され得、以下ではコンピュータ可読媒体として説明され、１つまたは複数の実施形態について本明細書で説明される動および方法の一部またはすべてを実行する。さらに、プロセッサ６００３は別個のメモリ６００７が必要とされないように、メモリを含むように定義されてもよい。
【００２４】
本明細書で説明するように、ＤＵノード６０００の動作は、プロセッサ６００３、ネットワークインターフェース６００５、および/またはトランシーバ６００１によって実行され得る。例えば、プロセッサ６００３はトランシーバ６００１を制御して、トランシーバ６００１を介して、無線インターフェースを介して、１つまたは複数のＵＥにダウンリンク通信を送信し、および/または、トランシーバ６００１を介して、１つまたは複数のＵＥから、無線インターフェースを介して、アップリンク通信を受信することができる。同様に、プロセッサ６００３はネットワークインターフェース６００５を制御して、ネットワークインターフェース６００５を介して１つ以上の他のネットワークノード（例えば、ＣＵノード）に通信を送信し、および/または１つ以上の他のネットワークノード（例えば、ＣＵノード）からネットワークインターフェース６００５を介して通信を受信することができる。さらに、モジュールはメモリ６００５に記憶されてもよく、これらのモジュールはモジュールの命令がプロセッサ６００３によって実行されるときに、プロセッサ６００３がそれぞれの動作（例えば、例示的な実施形態に関連して以下に説明する動作）を実行するように命令を提供してもよい。
【００２５】
図８は、本明細書で開示されるいくつかの実施形態によるｇＮＢ中央ユニットＣＵノード７０００を示すブロック図である。図示のように、ＣＵノード７０００は、ネットワークインターフェース７００１およびメモリ７００５と結合されたプロセッサ７００３を含んでもよい。ネットワークインターフェース７００１は例えば、それぞれのＦ１インターフェースを介して、複数のＤＵノードのような他のネットワークノード/デバイスとの通信を提供することができる。プロセッサ７００３（プロセッサ回路または処理回路とも呼ばれる）は汎用および/または専用プロセッサ（たとえば、マイクロプロセッサおよび/またはデジタルシグナルプロセッサ）などの１つまたは複数のデータ処理回路を含むことができる。プロセッサ７００３はメモリ７００５内の機能モジュール（メモリ回路またはメモリ回路とも呼ばれる）からのコンピュータプログラム命令を実行するように構成され得、以下ではコンピュータ可読媒体として説明され、１つまたは複数の実施形態について本明細書で説明される動作および方法の一部またはすべてを実行する。さらに、プロセッサ７００３は別個のメモリ７００５が必要とされないように、メモリを含むように定義されてもよい。
【００２６】
本明細書で説明するように、ＣＵノード７０００の動作は、プロセッサ７００３および/またはネットワークインターフェース７００１によって実行され得る。例えば、プロセッサ７００３はネットワークインターフェース７００１を制御して、ネットワークインターフェース７００１を介して通信を１つ以上の他のネットワークノード（例えば、１つ以上のＤＵノード）に送信し、および/または１つ以上の他のネットワークノード（例えば、１つ以上のＤＵノード）からネットワークインターフェース７００１を介して通信を受信することができる。さらに、モジュールはメモリ７００５に記憶されてもよく、これらのモジュールはモジュールの命令がプロセッサ７００３によって実行されるときに、プロセッサ７００３がそれぞれの動作（例えば、例示的な実施形態に関連して以下に説明する動作）を実行するように命令を提供してもよい。
【００２７】
ＲＲＣ構成では、ｇＮＢ-ＣＵとｇＮＢ-ＤＵが共に、ＲＲＣ構成（ＲＲＣ設定）を生成し、ＵＥに送信する責任を負うことができる。例えば、図２はＵＥコンテキストの生成時にＲＲＣ構成を生成し、ＵＥに送信するためのＮＲスタンドアロン（ＮＳＡ）における手順を示す。
【００２８】
送信１は、ｇＮＢ-ＣＵからｇＮＢ-ＤＵに送信されることができる。送信１は、CG-ConfigInfo RRCコンテナをもつＦ１ ＵＥコンテキストセットアップ要求メッセージを含むことができる。CG-ConfigInfo RRCコンテナは、ｇＮＢ-ＣＵで利用可能なＲＲＣパラメータ（例えば、測定周波数、ＵＥ無線能力（機能）及び無線ベアラ構成）を含むことができる。
【００２９】
ブロック２において、ｇＮＢ-ＤＵはCG-ConfigInfo RRCコンテナ内の情報に基づいて、ＵＥに対するＬ１-Ｌ２構成（例えば、phy-configおよびmac-config）と測定ギャップオフセットを選択することができる。
【００３０】
送信３は、ｇＮＢ-ＤＵからｇＮＢ-ＣＵに送信されることができる。送信３は、CellGroupConfig RRCコンテナ（選択されたＬ１-Ｌ２構成を持つ）とGap-Offset RRCコンテナ（ｇＮＢ-ＣＵによって選択された周波数に対する測定ギャップオフセットを持つ）を含むことができるＦ１ ＵＥコンテキストセットアップ応答メッセージを含むことができる。
【００３１】
ブロック４において、ｇＮＢ-ＣＵは、ｇＮＢ-ＣＵによって受信されたＲＲＣパラメータ(CellGroupConfigおよびGap-Offset）とローカルＲＲＣパラメータ（例えば、MeasConfigおよびRB-Config）を組み合わせることによって、ＲＲＣ-再構成（Reconfiguration）メッセージを生成することができる。
【００３２】
送信５は、ｇＮＢ-ＣＵからｇＮＢ-ＤＵに送信されることができ、ＤＬ ＲＲＣ転送メッセージ（ＲＲＣ-再構成メッセージを含む）を含むことができる。送信６は、ｇＮＢ-ＤＵからＵＥに送信されることができ、ＲＲＣ-再構成メッセージを含むことができる。
【００３３】
ブロック７で、ＵＥは、ＲＲＣ-再構成メッセージに示されているＲＲＣ構成を適用することができる。
【００３４】
送信８は、ＵＥにおける構成が成功した場合、ＵＥからｇＮＢ-ＤＵに送信することができる。送信８は、ＲＲＣ-再構成-完了（Complete）メッセージを含めることができ、これはｇＮＢ-ＤＵからｇＮＢ-ＣＵに送信される送信９(ＵＬ ＲＲＣ転送メッセージ）に含めることができる。
【００３５】
いくつかの例では、ＲＲＣ再構成がＵＥとＲＡＮとの間の接続のライフスパン（寿命）中の任意の時間にＵＥに向けて実行され得る。ｇＮＢ-ＤＵとｇＮＢ-ＣＵは、ＵＥにブロードキャストまたはシグナリングするシステム情報に関する情報を専用の方法で交換することができる。システム情報は、ＲＲＣプロトコルの一部にすることもできる。
【００３６】
ｇＮＢ-ＣＵとｇＮＢ-ＤＵは、異なるＲＲＣバージョンをサポートし得る。これは、ｇＮＢ-ＣＵとｇＮＢ-ＤＵが異なる時間にソフトウェアアップグレードをリリースする異なるベンダーからのマルチベンダー展開で発生する可能性がある。ｇＮＢ-ＣＵとｇＮＢ-ＤＵが異なるＲＲＣバージョンをサポートしている場合、図２で説明した手順（またはｇＮＢ-ＤＵとｇＮＢ-ＣＵが、ｇＮＢ-ＤＵからのパラメータとｇＮＢ-ＣＵからのパラメータを組み合わせた結果であるＵＥ ＲＲＣメッセージ/情報にシグナリングまたはブロードキャストする目的でＲＲＣパラメータを交換する一般的な手順）が失敗する可能性がある。図２に示されている手順のブロック４において、ｇＮＢ-ＣＵは、一貫性のないＲＲＣ-再構成メッセージ、あるＲＲＣバージョンからのいくつかのＲＲＣパラメータを含むＲＲＣメッセージ、および別のＲＲＣバージョンからのいくつかのＲＲＣパラメータを含むＲＲＣメッセージを生成することができる。ＵＥがこの一貫性のないＲＲＣ-再構成メッセージを受信すると、ブロック７におけるＵＥの構成が失敗するか、ＵＥの構成ミス（設定ミス）を引き起こす可能性がある。いくつかの例では、ＵＥがネットワーク構成エラーがあったと考え、再構成障害（失敗）をトリガし、それによって再確立し得る。したがって、ＵＥの構成時にｇＮＢ-ＣＵとｇＮＢ-ＤＵの両方が同じＲＲＣバージョンを使用することは価値がある。
【００３７】
ｇＮＢ-ＤＵとｇＮＢ-ＣＵからの情報をマージしてシステム情報を作成すると、当該状況が発生する場合がある。この場合、ＵＥは即座にエラーを報告しないが、一定の、潜在的に矛盾した構成を仮定することがある。結果としてのＵＥの挙動は予測不可能になり、場合によってはエラーになる可能性がある。
【００３８】
本開示は、ＵＥに向けてＲＲＣメッセージを形成するための情報を生成することに関与するノード間でサポートされるＲＲＣバージョンを交換するための方法およびデバイスを提示する。いくつかの例では、そのようなノードがｇＮＢ-ＣＵおよびｇＮＢ-ＤＵであり得、ＲＲＣ情報の交換はＦ１インターフェース上で起こり得る。
【００３９】
いくつかの実施形態では、ｇＮＢ-ＣＵとｇＮＢ-ＤＵは、Ｆ１セットアップ手順の間に、サポートされているＲＲＣバージョンを交換することができる。例えば、ｇＮＢ-ＤＵは、Ｆ１セットアップ要求メッセージにおいて、サポートされているＲＲＣバージョン（またはサポートされている各リリースの最上位バージョン）のリストを送信でき、ｇＮＢ-ＣＵは、Ｆ１セットアップ応答メッセージでサポートされているＲＲＣバージョンのリストで応答できる。そして、ｇＮＢ-ＣＵとｇＮＢ-ＤＵは、両方のノード（およびＵＥ）によってサポートされるＲＲＣバージョンを使用（採用）することができる。追加または代替の実施形態では、ｇＮＢ-ＣＵおよびｇＮＢ-ＤＵは、サポートされている最新のＲＲＣバージョンのみを交換することができ、これはすべての以前のＲＲＣバージョンもサポートされていることを意味する。追加または代替の実施形態では、ｇＮＢ-ＣＵおよびｇＮＢ-ＤＵは、Ｏ&Ｍインターフェースを介してサポートされるＲＲＣバージョンを交換することができる。
【００４０】
いくつかの実施形態では、ｇＮＢ-ＣＵおよびｇＮＢ-ＤＵは、ＵＥによってサポートされるＲＲＣバージョンを使用（採用）しようとすることができる。ＲＲＣバージョンがＵＥによってサポートされていることを保証するために、ｇＮＢ-ＣＵは、ＲＲＣバージョンを（例えば、ＵＥ無線能力（機能）に基づいて）選択することができる。そして、ｇＮＢ-ＣＵは、ＵＥコンテキストセットアップ要求において、ＵＥに対して選択されたＲＲＣバージョンをｇＮＢ-ＤＵに送信することができる。ＵＥに対して選択されるＲＲＣバージョンは、ｇＮＢ-ＣＵとｇＮＢ-ＤＵの両方によってサポートされるＲＲＣバージョンの中にある可能性がある。ｇＮＢ-ＤＵは、ＵＥのための構成（設定）を生成するために、ＵＥコンテキストセットアップ要求において示されるＲＲＣバージョンを使用することができる。追加または代替の実施形態では、ｇＮＢ-ＣＵおよびｇＮＢ-ＤＵは、同じＲＲＣバージョンをサポートしていても、それらは同じ特徴をサポートしていない可能性がある。サポートしていない特徴の要求を受け取ったノードは、ＲＲＣコンテナの内容を読み取ることができ、要求された特徴を無視するか、送信ノードに適切な原因値（cause value）で障害をトリガすることができる。
【００４１】
いくつかの実施形態では、ｇＮＢ-ＤＵまたはｇＮＢ-ＣＵは、ＲＲＣパラメータを含むＦ１メッセージを他のノードから受信することができ、そのようなパラメータが、例えば、受信ノードがサポートするよりも新しいバージョンのＲＲＣに対応するためにサポートされない場合、このようなパラメータを受信するノードは、送信ノードが使用するＲＲＣバージョンが受信ノードでサポートされないことを強調する原因値を含めて、送信ノードに向けた失敗（障害）またはエラーメッセージを生成することができる。このようなエラーまたは失敗メッセージが受信されるとき、受信ノードは、ＲＲＣパラメータが他のノードにシグナリングされる次のシグナリング交換のために、より低いＲＲＣバージョンを使用することを決定してもよい。このメカニズムは、サポートされていないＲＲＣバージョンを指す原因値をもつエラーまたは失敗メッセージがそれ以上受信されないまで、繰り返される可能性がある。後者は、両方のノードがＲＲＣバージョンのＲＲＣパラメータを使用していることを自動的に示す。
【００４２】
提案されたメカニズムは、異なるＲＲＣバージョンをサポートするｇＮＢ−ＤＵおよびｇＮＢ−ＣＵによるＲＲＣ構成ミス（設定ミス）のリスクを低減することができる。
【００４３】
いくつかの実施形態では、サポートされているＲＲＣバージョンは、Ｆ１セットアップ手順で交換することができる。ｇＮＢ-ＤＵは、Ｆ１セットアップ要求メッセージに、サポートされているＲＲＣバージョンのリストを含めることができ、ｇＮＢ-ＣＵは、Ｆ１セットアップ応答メッセージに、サポートされているＲＲＣバージョンのリストを含めることができる。サポートされているＲＲＣバージョンは例えば、図３Ａ〜Ｂおよび図４の図３Ａ〜Ｂによって描かれている表に示されているように、リリース番号によって識別することができる。図３Ａ〜図３Ｂは、ｇＮＢ-ＤＵからｇＮＢ-ＣＵへのＦ１セットアップ要求メッセージを示す第１の表を示す。図４は、ｇＮＢ-ＣＵからｇＮＢ-ＤＵへのＦ１セットアップ応答メッセージを示す第２の表を示す。
【００４４】
いくつかの実施形態では、サポートされているＲＲＣバージョンは、ＵＥコンテキストセットアップ手順で交換することができる。ｇＮＢ-ＣＵは、図２のＵＥコンテキストセットアップ要求メッセージにおいて、ＵＥに対して選択されたＲＲＣバージョンを送信することができる。ｇＮＢ-ＤＵは、ｇＮＢ-ＣＵによって示されるＲＲＣバージョンを使用して、図２のブロック２でＵＥ構成（例えば、CellGroupConfigおよびGap-Offset RRCコンテナを生成するため）を実行することができる。これは、ｇＮＢ-ＣＵとｇＮＢ-ＤＵは、所与のＵＥを構成（設定）するために同じＲＲＣバージョンを採用することを提供/保証することができる。追加または代替の実施形態では、ｇＮＢ-ＣＵが構成されるＵＥ機能性に基づいて、およびＵＥ専用特徴能力に応じて、使用するＲＲＣバージョンを選択することができる。図１５は、いくつかの実施形態に従って使用され得るＵＥ−ＥＵＴＲＡ−能力情報を提供する。図１５のＥＵＴＲＡ能力が例として示されているが、本発明の概念の実施形態は、他のＵＥ無線能力を使用して提供されてもよい。
【００４５】
図５Ａ〜Ｃは、ＵＥに対して選択されたＲＲＣバージョンを交換するために使用される提案された追加を伴うＵＥコンテキストセットアップ要求メッセージを示す表を提供する。
【００４６】
ある実施形態では、失敗またはエラーメッセージを介して、サポートされていないバージョンのインジケーションを与えることができる。Ｆ１；ＵＥコンテキストセットアップ手順のケースでは、ＵＥコンテキストセットアップ要求メッセージが受信ノードによってサポートされていないＲＲＣパラメータを含む場合、ＵＥコンテキストセットアップ失敗が生成され得る。新しい原因値は、Ｆ１ ＵＥコンテキストセットアップ失敗の中で原因情報要素ＩＥの中に含まれることがある、そしてそのような原因値は「ＲＲＣバージョン未サポート」として定義されることがある、または、同じ原因を伝達する均等物エンコードとして定義されることがある。追加または代替の実施形態では、そのような原因が、サポートされていないＲＲＣバージョンに起因する任意の失敗メッセージに追加され得る。Ｆ１：ＵＥコンテキストセットアップ手順のケースでは、ＵＥコンテキストセットアップ応答がｇＮＢ-ＣＵによって生成および受信されると、ＵＥコンテキストセットアップ失敗を生成できないことがある。このケースでは、ｇＮＢ-ＣＵがサポートされているＲＲＣバージョンと互換性のないＲＲＣパラメータを受信すると、ｇＮＢ-ＣＵはｇＮＢ-ＤＵに向けてエラーインジケーションメッセージを生成する可能性がある。このメッセージは、上記のような原因値を示している可能性がある。エラーインジケーションメッセージは、互換性のないＲＲＣパラメータを受信した場合に、受信ノードによって応答として発行される可能性がある。
【００４７】
本開示のいくつかの実施形態によれば、サポートされるＲＲＣバージョンは、無線デバイスＵＥにおけるエラーおよび/または構成ミスを低減するために、ｇＮＢ-ＣＵノードとｇＮＢ-ＤＵノードとの間で交換されてもよい。
【００４８】
ＤＵノード６０００の動作は、本開示のいくつかの実施形態による図９、図１２、および図１４のフローチャートによって示される。例えば、モジュールは図７のメモリ６００７に格納されてもよく、これらのモジュールはモジュールの命令がプロセッサ６００３で実行されるときに、プロセッサ６００３が図９、図１２、および図１４のフローチャートのそれぞれの動作を実行するように、命令を提供してもよい。さらに、ＤＵノード６０００は、ＤＵノード６０００が通信する中央ユニットＣＵノードも含むｇＮＢのノードであってもよい。
【００４９】
図９は、いくつかの実施形態によるＤＵノードの動作の例を示す。ブロック８００１において、プロセッサ６００３は、ネットワークインターフェース６００５を介してＣＵノードに第１のメッセージを送信することができる。メッセージには、ＤＵノードでサポートされているＲＲＣバージョンのインジケーション（指示／指標／表示）を含めることができる。ブロック８００３において、プロセッサ６００３は、ネットワークインターフェース６００５を介してＣＵノードから第２のメッセージを受信することができる。第２のメッセージには、ＣＵノードでサポートされているＲＲＣバージョンのインジケーションを含めることができる。
【００５０】
追加または代替の実施形態では、ＤＵノードによってサポートされるＲＲＣバージョンのインジケーションは、ＤＵノードによってサポートされるＲＲＣバージョンのリストを含むことができ、および/または、ＤＵノードによってサポートされるＲＲＣバージョンのインジケーションは、ＤＵノードによってサポートされる最新のＲＲＣバージョンを含むことができる。
【００５１】
追加または代替の実施形態では、ＣＵノードによってサポートされるＲＲＣバージョンのインジケーションは、ＣＵノードによってサポートされるＲＲＣバージョンのリストを含むことができ、および/または、ＣＵノードによってサポートされるＲＲＣバージョンのインジケーションは、ＣＵノードによってサポートされる最新のＲＲＣバージョンを含むことができる。
【００５２】
追加または代替の実施形態では、ＤＵノードによってサポートされるＲＲＣバージョンのインジケーションは、ＤＵノードによってサポートされるＲＲＣバージョンの少なくとも１つのリリース番号（リリース数）を含むことができ、ＣＵノードによってサポートされるＲＲＣバージョンのインジケーションは、ＣＵノードによってサポートされるＲＲＣバージョンの少なくとも１つのリリース番号を含むことができる。
【００５３】
追加または代替の実施形態では、第１のメッセージはセットアップ要求メッセージであってもよく、第２のメッセージはセットアップ応答メッセージであってもよい。
【００５４】
追加または代替の実施形態では、ＤＵノードおよびＣＵノードは、Ｆ１インターフェースを介して結合することができる。第１および第２のメッセージは、Ｆ１セットアップ手順の第１および第２のセットアップメッセージにすることができる。第１のセットアップメッセージは、Ｆ１インターフェースを介してＣＵノードに送信できる。第２のセットアップメッセージは、ＣＵノードからＦ１インターフェースを介して受信できる。
【００５５】
追加のまたは代替の実施形態では、ＤＵノードおよびＣＵノードは、Ｆ１インターフェースを介して、および、オペレーションおよびメンテナンス（Ｏ&Ｍ）インターフェースを介して結合され得る。第１のメッセージは、Ｏ&Ｍインターフェースを介してＣＵノードに送信できる。第２のメッセージは、ＣＵノードからＯ&Ｍインターフェースを介して受信できる。
【００５６】
図１２は、いくつかの実施形態によるＤＵノードの動作の例を示す。ブロック８０４１において、プロセッサ６００３は、ネットワークインターフェース６００５を介して無線アクセスネットワークのＣＵノード７０００からＵＥに対するコンテキストセットアップ要求メッセージを受信することができる。コンテキストセットアップ要求メッセージは、ＵＥとＤＵノード間のＲＲＣ接続に使用されるＲＲＣバージョンのインジケーションを含むことができる。ブロック８０４３において、プロセッサ６００３は、ＵＥとＤＵノードとの間のＲＲＣ接続に使用されるＲＲＣバージョンのインジケーションを含むコンテキストセットアップ要求メッセージに基づいて、ＵＥに対する構成を決定することができる。ブロック８０４５において、プロセッサ６００３は、ネットワークインターフェース６００５を介してＵＥに対するコンテキストセットアップ応答メッセージをＣＵノードに送信することができる。コンテキストセットアップ応答メッセージには、ＵＥに対する構成に関する情報を含めることができる。ブロック８０４７において、プロセッサ６００３は、ネットワークインターフェース６００５を介してＣＵノードから転送メッセージを受信することができる。転送メッセージは、ＵＥに対するＲＲＣ再構成メッセージを含むことができる。ブロック８０４９において、プロセッサ６００３は、トランシーバ６００１を介してＲＲＣ再構成メッセージをＵＥに送信することができる。ブロック８０５１において、プロセッサ６００３は、ＲＲＣ再構成メッセージを送信した後、ＵＥからトランシーバ６００１を介してＲＲＣ再構成完了メッセージを受信することができる。ブロック８０５３において、プロセッサ６００３は、ネットワークインターフェース６００５を介してアップリンク転送メッセージをＣＵノードに送信することができる。アップリンク転送メッセージには、ＲＲＣ再構成完了メッセージを含めることができる。
【００５７】
追加または代替の実施形態では、コンテキストセットアップ応答メッセージがは、無線デバイスＵＥとＤＵノードとの間のＲＲＣ接続に対する測定ギャップオフセット情報および/またはセルグループ構成情報を含むことができる。
【００５８】
追加または代替の実施形態では、コンテキストセットアップ応答メッセージは、物理層および/または媒体アクセス制御層情報のうちの少なくとも１つを含むセルグループ構成情報を含むことができる。
【００５９】
図１４は、実施形態のためのＤＵノードの動作の例を示す。図１４は、図１２に関して上述したものと同様の動作/ブロックを含むが、図１４は、ブロック８０４２ａ〜ｄをさらに含む。ブロック８０４１において、プロセッサ６００３は、ネットワークインターフェース６００５を介して無線アクセスネットワークの中央ユニットＣＵノードから無線デバイス（ＵＥ）に対する第１のコンテキストセットアップ要求メッセージを受信することができ、第１のコンテキストセットアップ要求メッセージは、無線デバイス（ＵＥ）とＤＵノードとの間のＲＲＣ接続に使用される第１のＲＲＣバージョンのインジケーションを含むことができる。ブロック８０４２ａにおいて、プロセッサ６００３は、（ブロック８０４１の第１のコンテキストセットアップ要求メッセージから）第１のＲＲＣバージョンがサポートされていないことを決定（確認）することができる。ブロック８０４２ｂにおいて、プロセッサ６００３は、ネットワークインターフェース６００５を介してコンテキストセットアップ失敗メッセージをＣＵノードに送信することができる。ブロック８０４２ｃにおいて、プロセッサ６００３は、ネットワークインターフェース６００５を介して、ＣＵノードから無線デバイスＵＥに対する第２のコンテキストセットアップ要求メッセージを受信することができる。第２のコンテキストセットアップ要求メッセージは、無線デバイスＵＥとＤＵノードとの間のＲＲＣ接続に使用される第２のＲＲＣバージョンのインジケーションを含むことができる。第１と第２のＲＲＣバージョンは異なる場合がある。ブロック８０４２ｄにおいて、プロセッサ６００３は、第２のＲＲＣバージョンがサポートされていることを判断できる。
【００６０】
第２のＲＲＣバージョンがブロック８０４２ｄにおいてサポートされていると決定したことに反応（応答）して、プロセッサ６００３は、ブロック８０４３において、無線デバイス（ＵＥ）とＤＵノードとの間のＲＲＣ接続に使用される第２のＲＲＣバージョンのインジケーションを含む、第２のコンテキストセットアップ要求メッセージに基づいて、無線デバイス（ＵＥ）に対する構成を決定することができる。ブロック８０４５において、プロセッサ６００３は、ネットワークインターフェース６００５を介して無線デバイス（ＵＥ）に対するコンテキストセットアップ応答メッセージをＣＵノードに送信することができる。コンテキストセットアップ応答メッセージには、無線デバイスに対する構成に関する情報を含めることができる。プロセッサ６００３は、ネットワークインターフェース６００５を介してＣＵノードから転送メッセージを受信することができる。転送メッセージには、無線デバイスに対するＲＲＣ再構成メッセージを含めることができる。プロセッサ６００３は、トランシーバ６００１を介して無線デバイス（ＵＥ）にＲＲＣ再構成メッセージを送信することができる。プロセッサ６００３は、ＲＲＣ再構成メッセージを送信した後、トランシーバ６００１を介して無線デバイス（ＵＥ）からＲＲＣ再構成完了メッセージを受信することができる。プロセッサ６００３は、ネットワークインターフェース６００５を介してアップリンク転送メッセージをＣＵノードに送信することができる。アップリンク転送メッセージには、ＲＲＣ再構成完了メッセージを含めることができる。
【００６１】
図９、図１２、および図１４の様々な動作は、いくつかの実施形態に関して任意であり得る。例示的な実施形態１の方法に関して、例えば、図１２のブロック８０４１、８０４３、８０４５、８０４７、８０４９、８０５１、および８０５３、および/または、図１４のブロック８０４１、８０４２ａ〜ｄ、８０４３、８０４５、８０４７、８０４９、８０５１、および８０５３の動作は任意であり得る。例示的な実施形態２５の方法に関して、例えば、図９のブロック８００１および８００３、および/または、図１２のブロック８０４３、８０４５、８０４７、８０４９、８０５１、および８０５３、および/または、図１４のブロック８０４２ａ〜ｄ、８０４３、８０４５、８０４７、８０４９、８０５１、および８０５３の動作は任意であり得る。
【００６２】
ＣＵノード７０００の動作は、本開示のいくつかの実施形態による図１０、図１１、および図１３のフローチャートによって示される。例えば、モジュールは図８のメモリ７００５に格納されてもよく、これらのモジュールは、モジュールの命令がプロセッサ７００３で実行されるときに、プロセッサ７００３が図１０、図１１、および図１３のフローチャートのそれぞれの動作を実行するように、命令を提供してもよい。さらに、ＣＵノード７０００は、ＤＵノード７０００が通信する中央ユニットＤＵノードも含むｇＮＢのノードであってもよい。
【００６３】
図１０は、いくつかの実施形態のためのＣＵノード動作の例を示す。図１０のＣＵノードの動作は、図９に関して上述したＤＵノードの動作に対応し得る。ブロック８０１１において、プロセッサ７００３は、ネットワークインターフェース７００１を介して第１のメッセージをＤＵノードに送信することができる。メッセージには、ＣＵノードでサポートされているＲＲＣバージョンのインジケーションを含めることができる。ブロック８０１３において、プロセッサ７００３は、ネットワークインターフェース７００１を介してＤＵノードから第２のメッセージを受信することができる。第２のメッセージには、ＤＵノードでサポートされているＲＲＣバージョンのインジケーションを含めることができる。
【００６４】
追加または代替の実施形態では、ＤＵノードによってサポートされるＲＲＣバージョンのインジケーションは、ＤＵノードによってサポートされるＲＲＣバージョンのリストを含むことができ、および/または、ＤＵノードによってサポートされるＲＲＣバージョンのインジケーションは、ＤＵノードによってサポートされる最新のＲＲＣバージョンを含むことができる。
【００６５】
追加または代替の実施形態では、ＣＵノードによってサポートされるＲＲＣバージョンのインジケーションは、ＣＵノードによってサポートされるＲＲＣバージョンのリストを含むことができ、および/または、ＣＵノードによってサポートされるＲＲＣバージョンのインジケーションは、ＣＵノードによってサポートされる最新のＲＲＣバージョンを含むことができる。
【００６６】
追加または代替の実施形態では、ＤＵノードによってサポートされるＲＲＣバージョンのインジケーションは、ＤＵノードによってサポートされるＲＲＣバージョンの少なくとも１つのリリース番号を含む。ＣＵノードによってサポートされるＲＲＣバージョンのインジケーションには、ＣＵノードによってサポートされるＲＲＣバージョンの少なくとも１つのリリース番号を含めることができる。
【００６７】
追加または代替の実施形態では、第１のメッセージは、セットアップ要求メッセージであってもよい。第２のメッセージは、セットアップ応答メッセージであってもよい。
【００６８】
追加または代替の実施形態では、ＤＵノードおよびＣＵノードは、Ｆ１インターフェースを介して結合することができる。第１と第２のメッセージは、Ｆ１セットアップ手順の第１と第２のセットアップメッセージにすることができる。第１のセットアップメッセージは、ＤＵノードからＦ１インターフェースを介して受信できる。第２のセットアップメッセージは、Ｆ１インターフェースを介してＤＵノードに送信できる。
【００６９】
追加のまたは代替の実施形態では、ＤＵノードおよびＣＵノードは、Ｆ１インターフェースを介して、および、オペレーションおよびメンテナンス（Ｏ&Ｍ）インターフェースを介して結合され得る。第１のメッセージは、ＤＵノードからＯ&Ｍインターフェースを介して受信できる。第２のメッセージは、Ｏ&Ｍインターフェースを介してＤＵノードに送信できる。
【００７０】
図１１は、いくつかの実施形態（例えば、以下の例示的な実施形態１５〜２２）に対するＣＵノード動作の例を示す。図１１のＣＵノードの動作は、図１２に関して上述したＤＵノードの動作に対応し得る。ブロック８０２１において、プロセッサ７００３は、ネットワークインターフェース７００１を介してＵＥに対するコンテキストセットアップ要求メッセージを無線アクセスネットワークのＤＵノード６０００に送信することができる。コンテキストセットアップ要求メッセージは、ＵＥとＤＵノードとの間のＲＲＣ接続に使用されるＲＲＣバージョンのインジケーションを含むことができる。ブロック８０２３において、プロセッサ７００３は、コンテキストセットアップ要求を送信した後、ネットワークインターフェース７００１を介してＤＵノード６０００からＵＥに対するコンテキストセットアップ応答メッセージを受信することができる。ブロック８０２５において、プロセッサ７００３は、ＲＲＣ接続に使用されるＲＲＣバージョンに基づいて、およびコンテキストセットアップ応答メッセージに基づいて、ＲＲＣ再構成メッセージを生成することができる。ブロック８０２７において、プロセッサ７００３は、ネットワークインターフェース７００１を介して、ＵＥに対するコンテキストセットアップ応答メッセージの受信に応答して、ＤＵノードにダウンリンク転送メッセージを送信することができる。ダウンリンク転送メッセージは、ＵＥに対するＲＲＣ再構成メッセージを含むことができる。ブロック８０２９において、プロセッサ７００３は、ダウンリンク転送メッセージを送信した後、ネットワークインターフェース７００１を介してＤＵノードからアップリンク転送メッセージを受信することができる。アップリンク転送メッセージには、ＲＲＣ再構成完了メッセージを含めることができる。
【００７１】
コンテキストセットアップ応答メッセージは、無線デバイスＵＥとＤＵノードとの間のＲＲＣ接続に対する測定ギャップオフセット情報および/またはセルグループ構成情報を含むことができる。
【００７２】
追加または代替の実施形態では、コンテキストセットアップ応答メッセージは、物理層および/または媒体アクセス制御層情報のうちの少なくとも１つを含むセルグループ構成情報を含むことができる。
【００７３】
追加または代替の実施形態では、コンテキストセットアップ要求メッセージを送信する前に、プロセッサ７００３は例えば、図１０に関して先に議論したように、ＤＵノードからセットアップ手順のセットアップメッセージを受信することができる。第１のセットアップメッセージには、ＤＵノードでサポートされているＲＲＣバージョンのインジケーションを含めることができる。ＲＲＣバージョンのインジケーションは、無線デバイス（ＵＥ）とＤＵノード間のＲＲＣ接続に使用でき、ＤＵノードでサポートされているＲＲＣバージョンのインジケーションに基づいてＣＵノードで選択できる。
【００７４】
追加または代替の実施形態では、無線デバイス（ＵＥ）とＤＵノードとの間のＲＲＣ接続に使用されるＲＲＣバージョンのインジケーションは、無線デバイス（ＵＥ）のＲＲＣ能力および/またはＣＵノードのＲＲＣ能力の少なくとも１つに基づいて、ＣＵノードによって選択されることができる。図１３は、実施形態（例えば、例示的な実施形態２３〜２４）のためのＤＵノードの動作の例を示す。図１３のＣＵノードの動作は、図１４に関して上述したＤＵノードの動作に対応し得る。図１３は、図１１と同様である、ただし、ブロック８０２２ａ〜ｂを含む。ブロック８０２１において、プロセッサ７００３は無線デバイス（ＵＥ）に対する第１のコンテキストセットアップ要求メッセージを、ネットワークインターフェース７００１を介して無線アクセスネットワークの分散ユニットＤＵノードに送信することができ、コンテキストセットアップ要求メッセージは、無線デバイス（ＵＥ）とＤＵノードとの間の無線リソース制御（ＲＲＣ）接続に使用されるＲＲＣバージョンのインジケーションを含む。ブロック８０２２ａにおいて、第１のコンテキストセットアップ要求メッセージを送信した後、プロセッサ７００３はネットワークインターフェース７００１を介して、ＤＵノードからコンテキストセットアップ失敗メッセージを受信することができる。ブロック８０２２ｂにおいて、ＤＵノードからコンテキストセットアップ失敗メッセージを受信するのに応答して、プロセッサ７００３は、ネットワークインターフェース７００１を介して無線デバイス（ＵＥ）のための第２のコンテキストセットアップ要求メッセージをＤＵノードに送信することができる。第２のコンテキストセットアップ要求メッセージには、無線デバイス（ＵＥ）とＤＵノード間のＲＲＣ接続に使用される第２のＲＲＣバージョンのインジケーションを含めることができる。第１と第２のＲＲＣバージョンは異なる場合がある。
【００７５】
ブロック８０２３において、プロセッサ７００３は、第２のコンテキストセットアップ要求を送信した後、ネットワークインターフェース７００１を介してＤＵノードから無線デバイス（ＵＥ）のコンテキストセットアップ応答メッセージを受信することができる。ブロック８０２５において、プロセッサ７００３は、ＲＲＣ接続に使用される第２のＲＲＣバージョンに基づいて、およびコンテキストセットアップ応答メッセージに基づいて、ＲＲＣ再構成メッセージを生成することができる。ブロック８０２７において、プロセッサ７００３はネットワークインターフェース７００１を介して、無線デバイス（ＵＥ）のコンテキストセットアップ応答メッセージの受信に応答して、ＤＵノードにダウンリンク転送メッセージを送信でき、ダウンリンク転送メッセージは、無線デバイス（ＵＥ）のＲＲＣ再構成メッセージを含む。ブロック８０２９において、プロセッサ７００３はダウンリンク転送メッセージを送信した後、ネットワークインターフェース７００１を介してＤＵノードからアップリンク転送メッセージを受信することができ、アップリンク転送メッセージはＲＲＣ再構成完了メッセージを含む。
【００７６】
図１０、図１１、および図１３の様々な動作は、いくつかの実施形態に関して任意であり得る。例示的な実施形態８の方法に関して、例えば、図１１のブロック８０２１、８０２３、８０２５、８０２７、および８０２９、および/または図１３のブロック８０２１、８０２２ａ〜ｂ、８０２３、８０２５、８０２７、および８０２９の動作は任意であり得る。例示的な実施形態１５の方法に関して、例えば、図１０のブロック８０１１および８０１３、および/または図１１のブロック８０２３、８０２５、８０２７、および８０２９、および/または図１３のブロック８０２２ａ〜ｂ、８０２３、８０２５、８０２７、および８０２９の動作は、任意であってもよい。
【００７７】
図１６を参照すると、実施形態に従って、通信システムは、無線アクセスネットワークなどのアクセスネットワーク３２１１と、コアネットワーク３２１４とを含む、３ＧＰＰタイプのセルラーネットワークなどの電気通信ネットワーク３２１０を含む。アクセスネットワーク３２１１は、複数の基地局３２１２ａ、３２１２ｂ、３２１２ｃ、例えばＮＢ、ｅＮＢ、ｇＮＢ、または他のタイプの無線アクセスポイントから構成され、各々が対応するカバレッジエリア３２１３ａ、３２１３ｂ、３２１３ｃを規定する。各基地局３２１２ａ、３２１２ｂ、３２１２ｃは、有線または無線接続３２１５を介してコアネットワーク３２１４に接続可能である。カバレッジエリア３２１３ｃに位置する第１のユーザ装置（ＵＥ）３２９１は、対応する基地局３２１２ｃに無線で接続されるか、またはページングされるように構成される。カバレッジエリア３２１３ａ内の第２のＵＥ３２９２は、対応する基地局３２１２ａに無線で接続可能である。この例では複数のＵＥ３２９１、３２９２が示されているが、開示された実施形態は単一のＵＥがカバレッジエリア内にある状況、または単一のＵＥが対応する基地局３２１２に接続している状況に等しく適用可能である。
【００７８】
電気通信ネットワーク３２１０は、それ自体がホストコンピュータ３２３０に接続され、ホストコンピュータ３２３０はスタンドアロンサーバ、クラウド実装サーバ、分散サーバのハードウェアおよび／またはソフトウェアで、またはサーバファーム内の処理リソースとして実施することができる。ホストコンピュータ３２３０は、サービスプロバイダの所有権または制御下にあってもよく、またはサービスプロバイダによって、またはサービスプロバイダの代わりに運用されてもよい。電気通信ネットワーク３２１０とホストコンピュータ３２３０との間の接続３２２１、３２２２はコアネットワーク３２１４からホストコンピュータ３２３０に直接延在することができ、または任意選択の中間ネットワーク３２２０を介して進むことができる。中間ネットワーク３２２０は公衆ネットワーク、プライベートネットワーク、またはホストネットワークのうちの１つ、または２つ以上の組み合わせとすることができ、中間ネットワーク３２２０はもしあれば、バックボーンネットワークまたはインターネットとすることができ、特に、中間ネットワーク３２２０は、２つ以上のサブネットワーク(図示せず)を含むことができる。
【００７９】
図１６の通信システムは、全体として、接続されたＵＥ３２９１、３２９２の１つとホストコンピュータ３２３０との間の接続性を可能にする。接続性は、オーバー・ザ・トップ(ＯＴＴ)コネクション（接続）３２５０として説明することができる。ホストコンピュータ３２３０および接続されたＵＥ３２９１、３２９２は、アクセスネットワーク３２１１、コアネットワーク３２１４、任意の中間ネットワーク３２２０、および可能なさらなるインフラストラクチャ（図示せず）を媒介として使用して、ＯＴＴコネクション３２５０を介してデータおよび/または信号を通信するように構成される。ＯＴＴコネクション３２５０は、ＯＴＴコネクション３２５０が通過する参加通信デバイスがアップリンク通信およびダウンリンク通信のルーティングに気付かないという意味で、トランスペアレント（透過的）であり得る。例えば、基地局３２１２は接続されたＵＥ３２９１に転送される(例えば、ハンドオーバされる)ホストコンピュータ３２３０から発信されるデータとの着信ダウンリンク通信の過去のルーティングについて通知されなくてもよく、または通知される必要がなくてもよい。同様に、基地局３２１２は、ＵＥ３２９１からホストコンピュータ３２３０に向かう発信アップリンク通信の将来のルーティングを知っている必要はない。
【００８０】
先の段落で論じたＵＥ、基地局、およびホストコンピュータの、一実施形態による例示的な実装形態を、図１７を参照して以下に説明する。通信システム３３００では、ホストコンピュータ３３１０が通信システム３３００の異なる通信デバイスのインターフェースとの有線または無線接続をセットアップおよび維持するように構成された通信インターフェース３３１６を含むハードウェア３３１５を備える。ホストコンピュータ３３１０は、記憶および／または処理能力を有することができる処理回路３３１８をさらに備える。具体的には、処理回路３３１８が１つまたは複数のプログラマブルプロセッサ、特定用途向け集積回路、フィールドプログラマブルゲートアレイ、または命令を実行するように適合されたこれらの組合せ(図示せず)を備えることができる。ホストコンピュータ３３１０はホストコンピュータ３３１０に格納されているか、またはホストコンピュータ３３１０によってアクセス可能であり、処理回路３３１８によって実行可能なソフトウェア３３１１をさらに備える。ソフトウェア３３１１は、ホストアプリケーション３３１２を含む。ホストアプリケーション３３１２は、ＵＥ３３３０およびホストコンピュータ３３１０で終端するＯＴＴコネクション３３５０を介して接続するＵＥ３３３０などのリモートユーザにサービスを提供するように動作可能であってもよい。リモートユーザにサービスを提供する際に、ホストアプリケーション３３１２は、ＯＴＴコネクション３３５０を使用して送信されるユーザデータを提供することができる。
【００８１】
通信システム３３００はさらに、通信システム内に提供され、ホストコンピュータ３３１０およびＵＥ３３３０と通信することを可能にするハードウェア３３２５を備える基地局３３２０を含む。ハードウェア３３２５は、通信システム３３００の異なる通信装置のインターフェースとの有線または無線接続をセットアップおよび維持するための通信インターフェース３３２６、ならびに基地局３３２０によってサービスされるカバレッジエリア（図１７には示されていない）に位置するＵＥ３３３０との少なくとも無線接続３３７０をセットアップおよび維持するための無線インターフェース３３２７を含み得る。通信インターフェース３３２６は、ホストコンピュータ３３１０への接続３３６０を容易にするように構成することができる。接続３３６０は直接的なものであってもよいし、電気通信システムのコアネットワーク（図１７には図示せず）及び/又は電気通信システムの外部の１つ以上の中間ネットワークを通過するものであってもよい。図示の実施形態では基地局３３２０のハードウェア３３２５が処理回路３３２８をさらに含み、処理回路３３２８は１つまたは複数のプログラマブルプロセッサ、特定用途向け集積回路、フィールドプログラマブルゲートアレイ、または命令を実行するように適合されたこれらの組合せ(図示せず)を備えることができる。基地局３３２０は、内部に格納された、または外部接続を介してアクセス可能なソフトウェア３３２１をさらに有する。
【００８２】
通信システム３３００は、既に参照されたＵＥ３３３０をさらに含む。そのハードウェア３３３５はＵＥ３３３０が現在位置するカバレッジエリアにサービスを提供する基地局との無線接続３３７０をセットアップし、維持するように構成された無線インターフェース３３３７を含み得る。ＵＥ３３３０のハードウェア３３３５は処理回路３３３８をさらに含み、処理回路３３３８は、１つまたは複数のプログラマブルプロセッサ、特定用途向け集積回路、フィールドプログラマブルゲートアレイ、または命令を実行するように適合されたこれらの組合せ(図示せず)を備えることができる。ＵＥ３３３０はＵＥ３３３０に格納されるか、またはＵＥ３３３０によってアクセス可能であり、処理回路３３３８によって実行可能であるソフトウェア３３３１をさらに備える。ソフトウェア３３３１は、クライアントアプリケーション３３３２を含む。クライアントアプリケーション３３３２はホストコンピュータ３３１０のサポートにより、ＵＥ３３３０を介して人間または非人間のユーザにサービスを提供するように動作可能であってもよい。ホストコンピュータ３３１０では、実行中のホストアプリケーション３３１２がＵＥ３３３０およびホストコンピュータ３３１０で終端するＯＴＴコネクション３３５０を介して、実行中のクライアントアプリケーション３３３２と通信することができる。ユーザにサービスを提供する際に、クライアントアプリケーション３３３２は、ホストアプリケーション３３１２から要求データを受信し、要求データに応答してユーザデータを提供することができる。ＯＴＴコネクション３３５０は、要求データとユーザデータの両方を転送することができる。クライアントアプリケーション３３３２は、ユーザと相互作用して、それが提供するユーザデータを生成することができる。
【００８３】
図１７に示されるホストコンピュータ３３１０、基地局３３２０、およびＵＥ３３３０は、それぞれ、ホストコンピュータ３２３０、基地局３２１２ａ、３２１２ｂ、３２１２ｃのうちの１つ、および図１６のＵＥ３２９１、３２９２のうちの１つと同一であり得ることに留意されたい。すなわち、これらのエンティティの内部動作は図１７に示すようなものとすることができ、独立して、周囲のネットワーク・トポロジは、図１６のものとすることができる。
【００８４】
図１７ではＯＴＴコネクション３３５０を抽象的に描いて、ホストコンピュータ３３１０と基地局３３２０を介した使用機器３３３０との間の通信を示しているが、いかなる中間デバイスも明示的に基準せず、これらのデバイスを介したメッセージの正確なルーティングも示していない。ネットワークインフラストラクチャはＵＥ３３３０から、またはホストコンピュータ３３１０を操作するサービスプロバイダから、またはその両方から隠すように構成され得るルーティングを決定し得る。ＯＴＴコネクション３３５０がアクティブである間、ネットワークインフラストラクチャは(例えば、負荷分散の考慮またはネットワークの再構成に基づいて)ルーティングを動的に変更する決定をさらに行うことができる。
【００８５】
ＵＥ３３３０と基地局３３２０との間の無線接続３３７０は、本開示全体にわたって説明される実施形態の教示に従う。様々な実施形態のうちの１つまたは複数は、無線接続３３７０が最後のセグメントを形成するＯＴＴ接続３３５０を使用して、ＵＥ３３３０に提供されるＯＴＴサービスの性能を改善する。
【００８６】
１つまたは複数の実施形態が改善するデータレート、待ち時間、および他の要因を監視する目的で、測定手順を提供することができる。さらに、測定結果の変動に応答して、ホストコンピュータ３３１０とＵＥ３３３０との間のＯＴＴコネクション３３５０を再構成するためのオプションのネットワーク機能があってもよい。ＯＴＴコネクション３３５０を再構成するための測定手順および／またはネットワーク機能は、ホストコンピュータ３３１０のソフトウェア３３１１、またはＵＥ３３３０のソフトウェア３３３１、またはその両方において実装され得る。実施形態ではセンサ(図示せず)がＯＴＴコネクション３３５０が通過する通信デバイスに配備されるか、またはそれに関連して配備されてもよく、センサは上で例示された監視量の値を供給することによって、またはソフトウェア３３１１、３３３１が監視量を計算または推定することができる他の物理量の値を供給することによって、測定手順に参加することができる。ＯＴＴコネクション３３５０の再構成はメッセージフォーマット、再送信設定、好ましいルーティングなどを含むことができ、再構成は、基地局３３２０に影響を及ぼす必要はなく、基地局３３２０には知られていないか、または知覚できないことがある。このような手順および機能性は当技術分野で公知であり、実践され得る。特定の実施形態では、測定がスループット、伝搬時間、待ち時間などのホストコンピュータ３３１０の測定を容易にする独自のＵＥシグナリングを含むことができる。測定は、ソフトウェア３３１１、３３３１が伝搬時間、エラーなどを監視しながら、ＯＴＴコネクション３３５０を使用して、メッセージ、特に空または「ダミー」メッセージを送信させることによって実施することができる。
【００８７】
図１８は、一実施形態による、通信システムにおいて実施される方法を示すフローチャートである。通信システムはホストコンピュータ、基地局、およびＵＥを含み、これらは図１６および図１７を参照して説明したものとすることができる。本開示を簡単にするために、図１８を参照する図面のみがこのセクションに含まれる。本方法の第１のステップ３４１０において、ホストコンピュータはユーザデータを提供する。第１のステップ３４１０の任意選択（オプション）のサブステップ３４１１において、ホストコンピュータは、ホストアプリケーションを実行することによってユーザデータを提供する。第２のステップ３４２０において、ホストコンピュータは、ユーザデータを搬送する送信をＵＥに開始する。任意選択の第３のステップ３４３０において、基地局は、本開示全体にわたって説明される実施形態の教示に従って、ホストコンピュータが開始した送信において搬送されたユーザデータをＵＥに送信する。任意選択の第４のステップ３４４０において、ＵＥは、ホストコンピュータによって実行されるホストアプリケーションに関連するクライアントアプリケーションを実行する。
【００８８】
図１９は、一実施形態による、通信システムにおいて実施される方法を示すフローチャートである。通信システムはホストコンピュータ、基地局およびＵＥを含み、これらは先に説明したものであってもよい。本開示を簡単にするために、図１９を参照する図面のみがこのセクションに含まれる。本方法の第１のステップ３５１０において、ホストコンピュータはユーザデータを提供する。任意選択のサブステップ（図示せず）において、ホストコンピュータがホストアプリケーションを実行することによってユーザデータを提供する。第２のステップ３５２０において、ホストコンピュータは、ユーザデータを搬送する送信をＵＥに開始する。送信は、本開示全体にわたって説明される実施形態の教示に従って、基地局を介して渡され得る。オプションの第３のステップ３５３０において、ＵＥは、送信において搬送されたユーザデータを受信する。
【００８９】
図２０は、一実施形態による、通信システムにおいて実施される方法を示すフローチャートである。通信システムはホストコンピュータ、基地局およびＵＥを含み、これらは先に説明したものであってもよい。本開示を簡単にするために、図２０を参照する図面のみがこのセクションに含まれる。本方法の任意選択の第１のステップ３６１０において、ＵＥは、ホストコンピュータによって提供される入力データを受信する。追加的にまたは代替的に、オプションの第２のステップ３６２０において、ＵＥは、ユーザデータを提供する。第２のステップ３６２０の任意選択のサブステップ３６２１において、ＵＥは、クライアントアプリケーションを実行することによってユーザデータを提供する。第１のステップ３６１０のさらなる任意選択のサブステップ３６１１において、ＵＥは、ホストコンピュータによって提供された受信入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、任意選択の第３のサブステップ３６３０において、ホストコンピュータへのユーザデータの送信を開始する。本方法の第４のステップ３６４０において、ホストコンピュータは、本開示全体にわたって説明される実施形態の教示に従って、ＵＥから送信されたユーザデータを受信する。
【００９０】
図２１は、一実施形態による、通信システムにおいて実施される方法を示すフローチャートである。通信システムはホストコンピュータ、基地局およびＵＥを含み、これらは先に説明したものであってもよい。本開示を簡単にするために、図２１を参照する図面のみがこのセクションに含まれる。方法の任意選択の第１のステップ３７１０では本開示全体にわたって説明される実施形態の教示に従って、基地局はＵＥからユーザデータを受信する。任意選択の第２のステップ３７２０では、基地局が受信したユーザデータのホストコンピュータへの送信を開始する。第３のステップ３７３０において、ホストコンピュータは、基地局によって開始された送信で搬送されたユーザデータを受信する。
【図１】
2021520689.tif 000003
【図２】
2021520689.tif 000004
【図３Ａ】
2021520689.tif 000005
【図３Ｂ】
2021520689.tif 000006
【図４】
2021520689.tif 000007
【図５Ａ】
2021520689.tif 000008
【図５Ｂ】
2021520689.tif 000009
【図５Ｃ】
2021520689.tif 000010
【図６】
2021520689.tif 000011
【図７】
2021520689.tif 000012
【図８】
2021520689.tif 000013
【図９】
2021520689.tif 000014
【図１０】
2021520689.tif 000015
【図１１】
2021520689.tif 000016
【図１２】
2021520689.tif 000017
【図１３】
2021520689.tif 000018
【図１４】
2021520689.tif 000019
【図１５】
2021520689.tif 000020
【図１６】
2021520689.tif 000021
【図１７】
2021520689.tif 000022
【図１８】
2021520689.tif 000023
【図１９】
2021520689.tif 000024
【図２０】
2021520689.tif 000025
【図２１】
2021520689.tif 000026
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
無線アクセスネットワークの分散ユニット（ＤＵ）ノード（６０００）の動作方法であって、前記ＤＵノードは、Ｆ１インターフェースを介して中央ユニット（ＣＵ）ノード（７０００）に結合され、前記ＤＵノードは、無線デバイス（ＵＥ）に関するＲＲＣ接続のために前記Ｆ１インターフェースを介して前記ＣＵノードとのセットアップ手順を実行し、前記方法は、
前記ＣＵノードにセットアップ要求メッセージを送信すること（８００１）と、ここで、前記セットアップ要求メッセージは、前記ＤＵノードによってサポートされる最新の無線リソース制御（ＲＲＣ）バージョンのインジケーションを含み、
前記ＣＵノードからセットアップ応答メッセージを受信すること（８００３）と、ここで、このメッセージは、前記ＣＵノードによって、および、前記ＵＥによってサポートされるＲＲＣバージョンのインジケーションを含み、
前記セットアップ応答メッセージに示されている前記ＲＲＣバージョンを使用して前記ＵＥとのＲＲＣ接続を確立すること、を含む、方法。
【請求項２】
請求項１に記載の方法であって、セットアップ要求メッセージは、前記ＤＵノードによってサポートされる前記最新のＲＲＣバージョンを含むＲＲＣバージョンのリストを含む、方法。
【請求項３】
請求項１に記載の方法であって、前記セットアップ応答メッセージは、前記ＣＵノードおよび前記ＵＥによってサポートされる前記最新のＲＲＣバージョン、または、前記ＣＵノードおよび前記ＵＥによってサポートされる前記最新のＲＲＣバージョンを含むＲＲＣバージョンのリストを含む、方法。
【請求項４】
請求項１から３のいずれか１項に記載の方法であって、前記ＤＵノードによってサポートされる前記最新のＲＲＣバージョンの前記インジケーションは、前記ＤＵノードによってサポートされるＲＲＣバージョンの少なくとも１つのリリース番号を含み、前記ＣＵノードおよび前記ＵＥによってサポートされる前記ＲＲＣバージョンの前記インジケーションは、前記ＣＵノードおよび前記ＵＥによってサポートされるＲＲＣバージョンの少なくとも１つのリリース番号を含む、方法。
【請求項５】
無線アクセスネットワークの中央ユニット（ＣＵ）ノード（７０００）の動作方法であって、前記ＣＵノードは、Ｆ１インターフェースを介して分散ユニット（ＤＵ）ノード（６０００）に結合され、前記ＤＵノードは、無線デバイス（ＵＥ）に関するＲＲＣ接続のために前記Ｆ１インターフェースを介して前記ＣＵノードとのセットアップ手順を実行し、前記方法は、
前記ＤＵノードからセットアップ要求メッセージを受信すること（８０１１）と、ここで、前記セットアップ要求メッセージは、前記ＤＵノードによってサポートされる最新のサポートされている無線リソース制御（ＲＲＣ）バージョンのインジケーションを含み、
前記ＤＵノードに第２のメッセージを送信すること（８０１３）を含み、前記第２のメッセージは、前記ＣＵノードおよび前記ＵＥノードの両方によってサポートされるＲＲＣバージョンのインジケーションを含み、前記ＵＥと前記ＤＵノードとの間の前記ＲＲＣ接続のために前記ＤＵによって使用され、
前記ＲＲＣバージョンは、前記ＵＥのＲＲＣ能力および前記ＣＵノードのＲＲＣ能力に基づいて選択される、方法。
【請求項６】
請求項５に記載の方法であって、前記ＤＵノードによってサポートされる前記ＲＲＣバージョンの前記インジケーションは、前記ＤＵノードによってサポートされるＲＲＣバージョンのリストを含む、方法。
【請求項７】
請求項５または６に記載の方法であって、前記セットアップ応答メッセージは、前記ＣＵノードおよび前記ＵＥによってサポートされる前記最新のＲＲＣバージョン、または、前記ＣＵノードおよび前記ＵＥによってサポートされる前記最新のＲＲＣバージョンを含むＲＲＣバージョンのリストを含む、方法。
【請求項８】
請求項５から７のいずれか１項に記載の方法であって、前記ＤＵノードによってサポートされる前記ＲＲＣバージョンの前記インジケーションは、前記ＤＵノードによってサポートされるＲＲＣバージョンの少なくとも１つのリリース番号を含み、前記ＣＵノードによってサポートされる前記ＲＲＣバージョンの前記インジケーションは、前記ＣＵノードによってサポートされるＲＲＣバージョンの少なくとも１つのリリース番号を含む、方法。
【請求項９】
請求項５に記載の方法であって、
無線デバイス（ＵＥ）に対するコンテキストセットアップ要求メッセージを、前記ＤＵノード（６０００）に送信すること（８０２１）をさらに含み、前記コンテキストセットアップ要求メッセージは、前記ＵＥと前記ＤＵノード間の無線リソース制御（ＲＲＣ）接続に使用されるＲＲＣバージョンのインジケーションを含む、含む、方法。
【請求項１０】
請求項９に記載の方法であって、
前記コンテキストセットアップ要求を送信した後に、前記ＤＵノードから前記ＵＥに対するコンテキストセットアップ応答メッセージを受信すること（８０２３）と、
前記ＵＥに対する前記コンテキストセットアップ応答メッセージを受信することに応答してダウンリンク転送メッセージを前記ＤＵノードに送信すること（８０２７）をさらに含み、前記ダウンリンク転送メッセージは、前記ＵＥに対するＲＲＣ再構成メッセージを含む、方法。
【請求項１１】
請求項１０に記載の方法であって、
前記ダウンリンク転送メッセージを送信した後に、前記ＤＵノードからアップリンク転送メッセージを受信すること（８０２９）をさらに含み、前記アップリンク転送メッセージは、ＲＲＣ再構成完了メッセージを含む、方法。 
【請求項１２】
請求項１０または１１に記載の方法であって、
前記ＲＲＣ接続に使用される前記ＲＲＣバージョンに基づいて、および、前記コンテキストセットアップ応答メッセージに基づいて、前記ＲＲＣ再構成メッセージを生成（８０２５）することをさらに含む、方法。 
【請求項１３】
請求項１０から１２のいずれか１項に記載の方法であって、前記コンテキストセットアップ応答メッセージは、前記ＵＥと前記ＤＵノードとの間の前記ＲＲＣ接続に対する測定ギャップオフセット情報および/またはセルグループ構成情報を含む、方法。
【請求項１４】
請求項１３に記載の方法であって、前記コンテキストセットアップ応答メッセージは、物理層および/または媒体アクセス制御層の情報のうちの少なくとも１つを含むセルグループ構成情報を含む、方法。
【請求項１５】
請求項８に記載の方法であって、前記コンテキストセットアップ要求メッセージは、第１のコンテキストセットアップ要求メッセージであり、前記インジケーションは、第１のＲＲＣバージョンのインジケーションであり、前記方法は、
前記第１のコンテキストセットアップ要求メッセージを送信した後、前記ＤＵノードからコンテキストセットアップ失敗メッセージを受信すること（８０２２ａ）と、
前記ＤＵノードから前記コンテキストセットアップ失敗メッセージを受信することに応答して、前記ＵＥに対する第２のコンテキストセットアップ要求メッセージを前記ＤＵノードに送信すること（８０２２ｂ）をさらに含み、前記第２のコンテキストセットアップ要求メッセージは、前記ＵＥと前記ＤＵノード間の前記ＲＲＣ接続に使用される第２のＲＲＣバージョンのインジケーションを含み、前記第１と第２のＲＲＣバージョンは異なる、方法。
【請求項１６】
請求項１５に記載の方法であって、
前記第２のコンテキストセットアップ要求を送信した後、前記ＤＵノードから前記ＵＥに対するコンテキストセットアップ応答メッセージを受信すること（８０２３）と、
前記ＲＲＣ接続に使用される前記第２のＲＲＣバージョンに基づいて、および前記コンテキストセットアップ応答メッセージに基づいて、ＲＲＣ再構成メッセージを生成すること（８０２５）と、
前記ＵＥに対する前記コンテキストセットアップ応答メッセージを受信することに応答して前記ＤＵノードにダウンリンク転送メッセージを送信すること（８０２７）と、ここで、前記ダウンリンク転送メッセージは前記ＵＥに対するＲＲＣ再構成メッセージを含み、
前記ダウンリンク転送メッセージを送信した後に前記ＤＵノードからアップリンク転送メッセージを受信すること（８０２９）をさらに含み、前記アップリンク転送メッセージは、ＲＲＣ再構成完了メッセージを含む、方法。
【請求項１７】
無線アクセスネットワークの分散ユニット（ＤＵ）ノード（６０００）であって、前記第１のＤＵノードは、
ネットワーク上で通信を提供するように構成されたネットワークインターフェース（６００５）と、
無線インターフェースを介して無線通信を提供するように構成されたトランシーバ（６００１）と、
前記ネットワークインターフェースおよび前記トランシーバと結合されたプロセッサ（６００３）とを備え、前記プロセッサは、中央ユニット（ＣＵ）ノードとの通信を前記ネットワークインターフェースを通じて提供するように構成され、前記プロセッサは、前記トランシーバを通じて複数の無線通信デバイスとの通信を提供するように構成され、前記プロセッサは、請求項１から４のいずれかに記載の動作を実行するように構成される、ＤＵノード。
【請求項１８】
分散ユニット（ＤＵ）ノード（６０００）であって、前記第１のＤＵノードは、請求項１から４のいずれかの工程を実行するように適合される、ＤＵノード。
【請求項１９】
無線アクセスネットワークの中央ユニット（ＣＵ）ノードであって、前記ＣＵノードは、
ネットワーク上で通信を提供するように構成されたネットワークインターフェース（７００１）と、
前記ネットワークインターフェースと結合されたプロセッサ（７００３）とを備え、前記プロセッサは、前記ネットワークインターフェースを介して、少なくとも１つの分散ユニット（ＤＵ）ノードとの通信を提供するように構成され、前記プロセッサは、請求項５から１６のいずれかに記載の動作を実行するように構成される、ＣＵノード。
【請求項２０】
中央ユニット（ＣＵ）ノード（７０００）であって、前記ＣＵノードは、請求項５から１６のいずれかの工程を実行するように適合される、ＣＵノード。
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
無線アクセスネットワークの分散ユニット（ＤＵ）ノード（６０００）の動作方法であって、前記ＤＵノードは、Ｆ１インターフェースを介して中央ユニット（ＣＵ）ノード（７０００）に結合され、前記ＤＵノードは、無線デバイス（ＵＥ）に関するＲＲＣ接続のために前記Ｆ１インターフェースを介して前記ＣＵノードとのセットアップ手順を実行し、前記方法は、
前記ＣＵノードにセットアップ要求メッセージを送信すること（８００１）と、ここで、前記セットアップ要求メッセージは、前記ＤＵノードによってサポートされる最新の無線リソース制御（ＲＲＣ）バージョンのインジケーションを含み、
前記ＣＵノードからセットアップ応答メッセージを受信すること（８００３）と、ここで、このメッセージは、前記ＣＵノードによって、および、前記ＵＥによってサポートされるＲＲＣバージョンのインジケーションを含み、
前記セットアップ応答メッセージに示されている前記ＲＲＣバージョンを使用して前記ＵＥとのＲＲＣ接続を確立すること、を含む、方法。
【請求項２】
請求項１に記載の方法であって、前記セットアップ要求メッセージは、前記ＤＵノードによってサポートされる前記最新のＲＲＣバージョンを含むＲＲＣバージョンのリストを含む、方法。
【請求項３】
請求項１に記載の方法であって、前記セットアップ応答メッセージは、前記ＣＵノードおよび前記ＵＥによってサポートされる前記最新のＲＲＣバージョン、または、前記ＣＵノードおよび前記ＵＥによってサポートされる前記最新のＲＲＣバージョンを含むＲＲＣバージョンのリストを含む、方法。
【請求項４】
請求項１から３のいずれか１項に記載の方法であって、前記ＤＵノードによってサポートされる前記最新のＲＲＣバージョンの前記インジケーションは、前記ＤＵノードによってサポートされるＲＲＣバージョンの少なくとも１つのリリース番号を含み、前記ＣＵノードおよび前記ＵＥによってサポートされる前記ＲＲＣバージョンの前記インジケーションは、前記ＣＵノードおよび前記ＵＥによってサポートされるＲＲＣバージョンの少なくとも１つのリリース番号を含む、方法。
【請求項５】
無線アクセスネットワークの中央ユニット（ＣＵ）ノード（７０００）の動作方法であって、前記ＣＵノードは、Ｆ１インターフェースを介して分散ユニット（ＤＵ）ノード（６０００）に結合され、前記ＤＵノードは、無線デバイス（ＵＥ）に関するＲＲＣ接続のために前記Ｆ１インターフェースを介して前記ＣＵノードとのセットアップ手順を実行し、前記方法は、
前記ＤＵノードからセットアップ要求メッセージを受信すること（８０１１）と、ここで、前記セットアップ要求メッセージは、前記ＤＵノードによってサポートされる最新のサポートされている無線リソース制御（ＲＲＣ）バージョンのインジケーションを含み、
前記ＤＵノードに第２のメッセージを送信すること（８０１３）を含み、前記第２のメッセージは、前記ＣＵノードおよび前記ＵＥノードの両方によってサポートされるＲＲＣバージョンのインジケーションを含み、前記ＵＥと前記ＤＵノードとの間の前記ＲＲＣ接続のために前記ＤＵノードによって使用され、
前記ＲＲＣバージョンは、前記ＵＥのＲＲＣ能力および前記ＣＵノードのＲＲＣ能力に基づいて選択される、方法。
【請求項６】
請求項５に記載の方法であって、前記ＤＵノードによってサポートされる前記ＲＲＣバージョンの前記インジケーションは、前記ＤＵノードによってサポートされるＲＲＣバージョンのリストを含む、方法。
【請求項７】
請求項５または６に記載の方法であって、前記セットアップ要求メッセージは、前記ＣＵノードおよび前記ＵＥによってサポートされる前記最新のＲＲＣバージョン、または、前記ＣＵノードおよび前記ＵＥによってサポートされる前記最新のＲＲＣバージョンを含むＲＲＣバージョンのリストを含む、方法。
【請求項８】
請求項５から７のいずれか１項に記載の方法であって、前記ＤＵノードによってサポートされる前記ＲＲＣバージョンの前記インジケーションは、前記ＤＵノードによってサポートされるＲＲＣバージョンの少なくとも１つのリリース番号を含み、前記ＣＵノードによってサポートされる前記ＲＲＣバージョンの前記インジケーションは、前記ＣＵノードによってサポートされるＲＲＣバージョンの少なくとも１つのリリース番号を含む、方法。
【請求項９】
請求項５に記載の方法であって、
無線デバイス（ＵＥ）に対するコンテキストセットアップ要求メッセージを、前記ＤＵノード（６０００）に送信すること（８０２１）をさらに含み、前記コンテキストセットアップ要求メッセージは、前記ＵＥと前記ＤＵノード間の無線リソース制御（ＲＲＣ）接続に使用されるＲＲＣバージョンのインジケーションを含む、含む、方法。
【請求項１０】
請求項９に記載の方法であって、
前記コンテキストセットアップ要求メッセージを送信した後に、前記ＤＵノードから前記ＵＥに対するコンテキストセットアップ応答メッセージを受信すること（８０２３）と、
前記ＵＥに対する前記コンテキストセットアップ応答メッセージを受信することに応答してダウンリンク転送メッセージを前記ＤＵノードに送信すること（８０２７）をさらに含み、前記ダウンリンク転送メッセージは、前記ＵＥに対するＲＲＣ再構成メッセージを含む、方法。
【請求項１１】
請求項１０に記載の方法であって、
前記ダウンリンク転送メッセージを送信した後に、前記ＤＵノードからアップリンク転送メッセージを受信すること（８０２９）をさらに含み、前記アップリンク転送メッセージは、ＲＲＣ再構成完了メッセージを含む、方法。 
【請求項１２】
請求項１０または１１に記載の方法であって、
前記ＲＲＣ接続に使用される前記ＲＲＣバージョンに基づいて、および、前記コンテキストセットアップ応答メッセージに基づいて、前記ＲＲＣ再構成メッセージを生成（８０２５）することをさらに含む、方法。 
【請求項１３】
請求項１０から１２のいずれか１項に記載の方法であって、前記コンテキストセットアップ応答メッセージは、前記ＵＥと前記ＤＵノードとの間の前記ＲＲＣ接続に対する測定ギャップオフセット情報および/またはセルグループ構成情報を含む、方法。
【請求項１４】
請求項１３に記載の方法であって、前記コンテキストセットアップ応答メッセージは、物理層および/または媒体アクセス制御層の情報のうちの少なくとも１つを含むセルグループ構成情報を含む、方法。
【請求項１５】
請求項９に記載の方法であって、前記コンテキストセットアップ要求メッセージは、第１のコンテキストセットアップ要求メッセージであり、前記インジケーションは、第１のＲＲＣバージョンのインジケーションであり、前記方法は、
前記第１のコンテキストセットアップ要求メッセージを送信した後、前記ＤＵノードからコンテキストセットアップ失敗メッセージを受信すること（８０２２ａ）と、
前記ＤＵノードから前記コンテキストセットアップ失敗メッセージを受信することに応答して、前記ＵＥに対する第２のコンテキストセットアップ要求メッセージを前記ＤＵノードに送信すること（８０２２ｂ）をさらに含み、前記第２のコンテキストセットアップ要求メッセージは、前記ＵＥと前記ＤＵノード間の前記ＲＲＣ接続に使用される第２のＲＲＣバージョンのインジケーションを含み、前記第１と第２のＲＲＣバージョンは異なる、方法。
【請求項１６】
請求項１５に記載の方法であって、
前記第２のコンテキストセットアップ要求メッセージを送信した後、前記ＤＵノードから前記ＵＥに対するコンテキストセットアップ応答メッセージを受信すること（８０２３）と、
前記ＲＲＣ接続に使用される前記第２のＲＲＣバージョンに基づいて、および前記コンテキストセットアップ応答メッセージに基づいて、ＲＲＣ再構成メッセージを生成すること（８０２５）と、
前記ＵＥに対する前記コンテキストセットアップ応答メッセージを受信することに応答して前記ＤＵノードにダウンリンク転送メッセージを送信すること（８０２７）と、ここで、前記ダウンリンク転送メッセージは前記ＵＥに対するＲＲＣ再構成メッセージを含み、
前記ダウンリンク転送メッセージを送信した後に前記ＤＵノードからアップリンク転送メッセージを受信すること（８０２９）をさらに含み、前記アップリンク転送メッセージは、ＲＲＣ再構成完了メッセージを含む、方法。
【請求項１７】
無線アクセスネットワークの分散ユニット（ＤＵ）ノード（６０００）であって、前記ＤＵノードは、
ネットワーク上で通信を提供するように構成されたネットワークインターフェース（６００５）と、
無線インターフェースを介して無線通信を提供するように構成されたトランシーバ（６００１）と、
前記ネットワークインターフェースおよび前記トランシーバと結合されたプロセッサ（６００３）とを備え、前記プロセッサは、中央ユニット（ＣＵ）ノードとの通信を前記ネットワークインターフェースを通じて提供するように構成され、前記プロセッサは、前記トランシーバを通じて複数の無線通信デバイスとの通信を提供するように構成され、前記プロセッサは、請求項１から４のいずれかに記載の動作を実行するように構成される、ＤＵノード。
【請求項１８】
分散ユニット（ＤＵ）ノード（６０００）であって、前記ＤＵノードは、請求項１から４のいずれかの工程を実行するように適合される、ＤＵノード。
【請求項１９】
無線アクセスネットワークの中央ユニット（ＣＵ）ノードであって、前記ＣＵノードは、
ネットワーク上で通信を提供するように構成されたネットワークインターフェース（７００１）と、
前記ネットワークインターフェースと結合されたプロセッサ（７００３）とを備え、前記プロセッサは、前記ネットワークインターフェースを介して、少なくとも１つの分散ユニット（ＤＵ）ノードとの通信を提供するように構成され、前記プロセッサは、請求項５から１６のいずれかに記載の動作を実行するように構成される、ＣＵノード。
【請求項２０】
中央ユニット（ＣＵ）ノード（７０００）であって、前記ＣＵノードは、請求項５から１６のいずれかの工程を実行するように適合される、ＣＵノード。
【国際調査報告】
2021520689.tif 000027
2021520689.tif 000028
2021520689.tif 000029